(57)【要約】【課題】物品の返却に関する情報を詳細に管理可能な物品管理装置を提供する。【解決手段】物品５３を取り出しおよび返却可能に保管する保管部４１と、保管部４１から取り出された物品５３の返却遅延の有無を判定する判定部と、判定部で物品５３の返却に遅延があったと判定された場合に、返却遅延理由を入力可能な入力部と、入力部で入力された返却遅延理由を記憶する記憶部とを備える。物品５３の返却に遅延があった場合に、返却遅延理由を入力可能であるため、返却遅延理由を含めて物品５３の返却に関する情報を管理可能となる。【選択図】図３
2019044403.tif 000002
【特許請求の範囲】
【請求項１】
物品を取り出しおよび返却可能に保管する保管部と、
前記保管部から取り出された物品の返却遅延の有無を判定する判定部と、
前記判定部で物品の返却に遅延があったと判定された場合に、返却遅延理由を入力可能な入力部と、
前記入力部で入力された返却遅延理由を記憶する記憶部と
を備えることを特徴とする物品管理装置。
【請求項２】
返却遅延理由の入力の要否を設定可能な設定部をさらに備えることを特徴とする請求項１記載の物品管理装置。
【請求項３】
前記記憶部には、複数の返却遅延理由候補が予め登録されており、
前記入力部は、前記複数の返却遅延理由候補の中から返却遅延理由を選択入力可能であることを特徴とする請求項１または２記載の物品管理装置。
【請求項４】
前記記憶部に記憶された返却遅延理由を出力可能な出力部をさらに備えることを特徴とする請求項１から３のいずれか一項記載の物品管理装置。
【請求項５】
物品の返却遅延の状態に近づくと第１の報知を行うとともに、物品の返却遅延の状態になると第２の報知を行う報知部をさらに備えることを特徴とする請求項１から４のいずれか一項記載の物品管理装置。
【発明の詳細な説明】
【技術分野】
【０００１】
本発明は、物品管理装置に関する。
【背景技術】
【０００２】
従来、物品としての鍵を管理する鍵管理装置にあっては、予め入力された予約情報に基づき鍵貸出ダイヤグラムを作成して、鍵の取り出しおよび返却を管理する鍵管理手段を、作成された鍵貸出ダイヤグラムにしたがって制御することで、スケジュール通りに鍵の貸し出しを行う鍵管理装置が提案されている（例えば、特許文献１参照）。
【０００３】
この鍵管理装置では、カードリーダなどの利用者特定手段により利用者情報を特定し、この特定された利用者情報が対応付けされている貸出時間帯にだけ鍵管理手段からの鍵の貸し出しが許可されるようになっている。
【先行技術文献】
【特許文献】
【０００４】
【特許文献１】特開２０１２−４７０１８号公報
【発明の概要】
【発明が解決しようとする課題】
【０００５】
鍵管理装置等の物品管理装置において、物品の返却に関する情報を詳細に管理したいという要望がある。
【０００６】
本発明は、物品の返却に関する情報を詳細に管理可能な物品管理装置の提供を目的とする。
【課題を解決するための手段】
【０００７】
上記目的を達成するために、本発明に係る第１の態様は、物品を取り出しおよび返却可能に保管する保管部と、前記保管部から取り出された物品の返却遅延の有無を判定する判定部と、前記判定部で物品の返却に遅延があったと判定された場合に、返却遅延理由を入力可能な入力部と、前記入力部で入力された返却遅延理由を記憶する記憶部とを備えることを特徴とする。
【０００８】
上記第１の態様によれば、物品の返却に遅延があった場合に、返却遅延理由を入力可能であって入力された返却遅延理由を記憶するため、返却遅延理由を含めて物品の返却に関する情報を管理可能となる。
【０００９】
本発明に係る第２の態様は、上記第１の態様において、返却遅延理由の入力の要否を設定可能な設定部をさらに備えることを特徴とする。
【００１０】
上記第２の態様によれば、例えば、重要な物品のみに返却遅延理由の入力を要するように設定できるため、利便性が向上する。
【００１１】
本発明に係る第３の態様は、上記第１または第２の態様において、前記記憶部には、複数の返却遅延理由候補が予め登録されており、前記入力部は、前記複数の返却遅延理由候補の中から返却遅延理由を選択入力可能であることを特徴とする。
【００１２】
上記第３の態様によれば、複数の返却遅延理由候補が予め登録されており、返却遅延理由を入力する際に、登録された複数の返却遅延理由候補の中から選択入力すれば済むため、返却遅延理由の入力作業が容易となる。
【００１３】
本発明に係る第４の態様は、上記第１から第３のいずれか一態様において、前記記憶部に記憶された返却遅延理由を出力可能な出力部をさらに備えることを特徴とする。
【００１４】
上記第４の態様によれば、入力された返却遅延理由を出力可能であるため、用紙に印字したり、他の装置で表示することが可能となる。
【００１５】
本発明に係る第５の態様は、上記第１から第４のいずれか一態様において、物品の返却遅延の状態に近づくと第１の報知を行うとともに、物品の返却遅延の状態になると第２の報知を行う報知部をさらに備えることを特徴とする。
【００１６】
上記第５の態様によれば、物品の返却遅延の状態に近づくと第１の報知を行うため、返却遅延の状態になることを抑制できる。
【発明の効果】
【００１７】
本発明によれば、物品の返却に関する情報を詳細に管理可能な物品管理装置を提供することができる。
【図面の簡単な説明】
【００１８】
【図１】本発明に係る一実施形態の物品管理装置の前カバーを開いた状態を示す正面図である。
【図２】本発明に係る一実施形態の物品管理装置の要部のブロック図である。
【図３】本発明に係る一実施形態の物品管理装置の鍵本体、鍵ホルダおよび保持部を示す斜視図である。
【図４】本発明に係る一実施形態の物品管理装置の収納物および保持部を示す斜視図である。
【図５】本発明に係る一実施形態の物品管理装置の操作部を示す正面図である。
【図６】本発明に係る一実施形態の物品管理装置の表示部の表示例を示す正面図である。
【図７】本発明に係る一実施形態の物品管理装置の表示部の表示例を示す正面図である。
【図８】本発明に係る一実施形態の物品管理装置の表示部の表示例を示す正面図である。
【図９】本発明に係る一実施形態の物品管理装置の表示部の表示例を示す正面図である。
【図１０】本発明に係る一実施形態の物品管理装置の表示部の表示例を示す正面図である。
【図１１】本発明に係る一実施形態の物品管理装置の表示部の表示例を示す正面図である。
【図１２】本発明に係る一実施形態の物品管理装置の表示部の表示例を示す正面図である。
【図１３】本発明に係る一実施形態の物品管理装置の表示部の表示例を示す正面図である。
【図１４】本発明に係る一実施形態の物品管理装置の表示部の表示例を示す正面図である。
【図１５】本発明に係る一実施形態の物品管理装置の用紙への印字例を示す正面図である。
【発明を実施するための形態】
【００１９】
本発明に係る一実施形態の物品管理装置を図面を参照して以下に説明する。なお、以下の説明において、「前」は前後方向の前側つまり使用者から見て手前側であり、「後」は前後方向の後側つまり使用者から見て奥側であり、「左」は使用者から見て左側であり、「右」は使用者から見て右側である。
【００２０】
本実施形態の物品管理装置１１は、銀行等の金融機関の店舗で使用されるもので、図１に示すように、装置本体１２と、装置本体１２の前面側を開閉する前カバー１３とを有している。
【００２１】
装置本体１２は、前面側が、その右側部分よりも左側部分の方が後側に位置するように段差状をなしている。装置本体１２は、中央から左側部分が、前カバー１３で開閉される開閉部２１となっており、開閉部２１よりも前側に突出する右側部分は、前カバー１３で開閉されずに常時露出する前面構成部２２となっている。前カバー１３は、装置本体１２の左端縁部に設けられたヒンジ２３を介して一端側が装置本体１２に回動可能に連結されており、開閉部２１の前面を開閉する。物品管理装置１１は、図示略の内蔵バッテリを有し、内蔵バッテリで駆動可能であって、持ち運び可能となっている。
【００２２】
装置本体１２には、右側の前面構成部２２の前面の上部に、日時、操作状況、アラーム情報およびガイダンス等を表示する液晶ディスプレイからなる表示部３１が設けられており、その下側に、使用者による数字やカタナカ、アルファベット等の文字の入力操作がなされる操作部３２（入力部，設定部）が設けられている。また、これらの右側に、図２に示すＩＤカード３４が走査されると、このＩＤカード３４からデータを読み取るカードリーダ３３が設けられている。なお、表示部３１と操作部３２とをタッチパネルとして一体に構成してもよい。
【００２３】
図１に示すように、前面構成部２２の前面の下部には、必要な情報を用紙の紙面に印字して排紙口３５から排紙するプリンタ部３６が設けられている。なお、ＩＤカード３４は、ＩＣチップを有する電子カードや磁気カード等からなるもので、物品管理装置１１の使用が許可された全ての担当者にそれぞれ個別に準備されて他との識別のための個別の使用者識別情報等が記憶されている。
【００２４】
装置本体１２の前カバー１３で開閉される開閉部２１には、その前面位置に、物品を取り出しおよび返却可能に保管する複数の保持部４１（保管部）と複数の保持部４２（保管部）とが設けられている。保持部４１は、上下方向の位置を合わせて左右方向に複数、具体的には１０カ所並べられ、このように１０カ所並べられた保持部４１が、上下つまり高さ方向に複数段、具体的には２段並べられている。保持部４２は、全ての保持部４１よりも下側に配置されており、上下方向の位置を合わせて左右方向に複数、具体的には１０カ所並べられている。
【００２５】
物品管理装置１１は、図３に示すように、一対一で対応する鍵本体５１を保持する鍵ホルダ５２を有しており、保持部４１は、それぞれが一対一で対応する鍵ホルダ５２を着脱可能に支持する。保持部４１は、対応する鍵ホルダ５２を取り外し不可となるようにロック状態で保持する。
【００２６】
ここで、鍵本体５１は、その用途が、金融機関に設置された金庫の扉の開閉用、現金処理機の扉の開閉用、現金処理機の扉内の現金収納庫の扉の開閉用、現金処理機の扉内の回収庫の扉の開閉用、現金処理機の主電源のオン・オフ切り換え用等となっている。連結された鍵本体５１および鍵ホルダ５２が、鍵５３を構成する。保持部４１は、その保持の対象物品である保持対象物品（言い換えれば管理対象物品）としての鍵ホルダ５２すなわち鍵５３を保持する。
【００２７】
図１に示すように、装置本体１２は、装置本体１２の開閉部２１の前面側に、前カバー１３が閉状態にあるときに前カバー１３に設けられた図示略の係合部をロックする電磁駆動式のカバーロック機構６１を上下２カ所に有している。また、装置本体１２は、装置本体１２の開閉部２１の前面側に、前カバー１３が閉状態にあるときに前カバー１３の図示略の検知部を検出することで前カバー１３が全閉状態にあるか否かを検出する全閉検出センサ６２を有している。カバーロック機構６１は、前カバー１３が閉じられたことを全閉検出センサ６２が検出したことを条件に、係合部をロックして前カバー１３を閉状態でロックする。また、カバーロック機構６１は、駆動されて係合部のロックを解除する。
【００２８】
図３に示すように、鍵ホルダ５２は、着脱部材７１と、この着脱部材７１に鍵本体５１を連結する連結部材７２とからなっている。着脱部材７１は、鍵ホルダ５２を他の鍵ホルダ５２と識別するための個別のホルダ識別情報が記憶された図２に示すＩＣタグ７３を有している。
【００２９】
図３に示すように、複数の保持部４１は、それぞれ、鍵本体５１に連結された鍵ホルダ５２の着脱部材７１が抜き差しされる個別の挿入穴７５を有している。着脱部材７１は、保持部４１に対し着脱可能であって装着状態でロックされる。複数の保持部４１は、それぞれ、挿入穴７５に着脱部材７１が差し込まれるとこれをロックして支持し、またロック解除可能な電磁駆動式の図２に示す鍵ロック機構７６を有している。
【００３０】
また、図３に示すように、複数の保持部４１は、それぞれ、表示ランプ８１が一体化された操作ボタン８２を有している。操作ボタン８２は、同じ保持部４１を構成する挿入穴７５と左右方向の位置を合わせて上下に近接している。操作ボタン８２は、それぞれ同じ保持部４１を構成する図２に示す鍵ロック機構７６によるロックを解除する際に押圧される操作ボタンであり、表示ランプ８１は、消灯、点灯および点滅することで操作を案内する。
【００３１】
保持部４１において、例えば、操作ボタン８２が押されると、この操作ボタン８２が設けられた保持部４１の鍵ロック機構７６のロックが解除され、この保持部４１から鍵ホルダ５２が取り外される処理が行われる。
【００３２】
また、複数の保持部４１は、それぞれが、装着された着脱部材７１の図２に示すＩＣタグ７３と通信可能であって通信状態から非通信状態への切り替えで鍵ホルダ５２すなわち鍵５３の取り出しを検出し非通信状態から通信状態への切り替えで鍵５３の返却を検出する物品検出手段としての図２に示すＩＣタグリーダ８５を有している。物品管理装置１１は、ＩＣタグリーダ８５の検出に基づいて管理対象物品としての鍵ホルダ５２を含む鍵５３の取り出しおよび返却を管理する。
【００３３】
図４に示すように、複数の保持部４２は、引き出し式であり、それぞれ、前方に引き出し可能であって後方に押し込み可能な引出部材９１と、押し込まれた引出部材９１を引き出し不可にロックし、またロック解除可能な電磁駆動式の図２に示す引出ロック機構９２とを有している。引出部材９１は、上方に開口する箱形であり、ＩＤカードや印鑑、書類等の、鍵ホルダ５２に取り付け不可あるいは取り付け可能であっても鍵ホルダ５２に取り付けての保持部４１への保持が不適な収納物９５を収納する。引出部材９１には、別体のアダプタ９３が着脱可能となっており、アダプタ９３が取り付けられると、アダプタ９３との間に収納物９５としての印鑑を立位姿勢で収納可能となる。
【００３４】
複数の保持部４２も、それぞれ、表示ランプ８１が一体化された操作ボタン８２を有している。操作ボタン８２は、同じ保持部４２を構成する引出部材９１と左右方向の位置を合わせて上下に近接している。操作ボタン８２は、それぞれ同じ保持部４２を構成する引出ロック機構９２によるロックを解除する際に押圧される操作ボタンであり、表示ランプ８１は、消灯、点灯および点滅することで操作を案内可能となっている。
【００３５】
保持部４２において、例えば、操作ボタン８２が押されると、この操作ボタン８２が設けられた保持部４２の図２に示す引出ロック機構９２のロックが解除され、この保持部４２から引出部材９１が引き出し可能となる。この状態で引出部材９１が引き出されてＩＤカードや印鑑、書類等の収納物９５が取り出され、その後、引出部材９１が押し込まれる。
【００３６】
複数の保持部４２は、それぞれが、引出部材９１が押し込まれた状態にあるか否かを検出する図２に示す押込検出センサ９８を有している。保持部４２は、その保持対象物品としてのＩＤカードや印鑑、書類等の収納物９５を保持する。複数の保持部４２は、それぞれが、引出部材９１に収納された収納物９５の有無を検出する物品検出手段としての図２に示す有無検出センサ９９を有している。有無検出センサ９９は、光路が遮光されることで引出部材９１に収納物９５があることを検出するフォトセンサや、引出部材９１の底部上の重量変化を検出することで引出部材９１に収納物９５があることを検出する重量センサ等である。
【００３７】
物品管理装置１１は、押込検出センサ９８および有無検出センサ９９の検出に基づいて管理対象物品としての収納物９５の取り出しおよび返却を管理する。すなわち、押込検出センサ９８が引出部材９１が押し込まれた状態にあることを検出し、有無検出センサ９９がこの引出部材９１内に収納物９５があることを検出している状態から、押込検出センサ９８が引出部材９１が押し込まれた状態にあることを検出し、有無検出センサ９９がこの引出部材９１内に収納物９５がないことを検出する状態になると、収納物９５が取り出されたことを検出する。また、この状態から、押込検出センサ９８が引出部材９１が押し込まれた状態にあることを検出し、有無検出センサ９９がこの引出部材９１内に収納物９５があることを検出する状態になると、収納物９５が返却されたことを検出する。
【００３８】
図２に示すように、装置本体１２は、上記各部を制御する制御部１１１（判定部，設定部，出力部）と、制御部１１１とデータのやり取りが可能でデータを記憶する記憶部１１２と、報知音を発生する報知音発生部１１３（報知部）とを有している。
【００３９】
操作部３２は、図５に示すように、いずれも押圧操作されると入力を検出する、ＭＥＮＵキー１２１と、上キー１２２と、下キー１２３と、左キー１２４と、右キー１２５と、ＥＮＴＥＲキー１２６と、複数のキーからなる文字入力キー群１２７と、ＣＥキー１２８とを有している。
【００４０】
上キー１２２、下キー１２３、左キー１２４および右キー１２５は、表示部３１に表示されたカーソルや矢印表示をそれぞれの方向に移動させる際等に押圧操作される。ＥＮＴＥＲキー１２６は入力確定時等に押圧操作される。文字入力キー群１２７は、数字、カタカナおよびアルファベット等の文字を入力する際に押圧操作される。ＣＥキー１２８は入力した文字を消去する際および表示画面を前に戻す際等に押圧操作される。ＭＥＮＵキー１２１は操作メニューを表示させる際に押圧操作されることになり、また、文字入力キー群１２７を数字入力用とカタカナ入力用とアルファベット入力用とに切り替える際にも押圧操作される。
【００４１】
物品管理装置１１は、物品としての鍵５３および収納物９５を保管するとともに、鍵５３および収納物９５の取り出しおよび返却が可能であり、制御部１１１が、鍵５３および収納物９５の取り出しおよび返却を管理し、取り出された鍵５３および収納物９５の返却遅延の有無を判定可能となっている。また、物品管理装置１１は、予め設定された制限時間あるいは制限時刻を過ぎてから鍵５３あるいは収納物９５を返却する場合、制限時間内あるいは制限時刻までに返却できなかった返却遅延の理由である返却遅延理由を入力する返却遅延理由入力機能を有している。さらに、物品管理装置１１は、入力された返却遅延理由を履歴として記憶し、記憶した返却遅延理由を印字可能であり、外部の管理装置へ送信可能となっている。
【００４２】
次に、物品管理装置１１の作動等について説明する。
【００４３】
物品管理装置１１が待機状態にあるとき、制御部１１１は、表示部３１にＩＤカード３４のカードリーダ３３への走査を促す待機表示画面を表示させている。
【００４４】
待機状態で、ＩＤカード３４が走査されると、カードリーダ３３は、ＩＤカード３４からこれに予め記憶されている、他の使用者との識別のための個別の使用者識別情報を読み出す。制御部１１１は、このＩＤカード３４から読み出した使用者識別情報を、記憶部１１２に予め記憶されている物品管理装置１１を使用可能な使用者識別情報の使用可能者リストと照らし合わせる。ＩＤカード３４から読み出した使用者識別情報と同じ使用者識別情報が使用可能者リストの使用者識別情報になければ、制御部１１１は、表示部３１に、物品管理装置１１を使用不可である旨を表示させると共に報知音発生部１１３に所定時間アラーム音を発生させて待機状態に戻る。
【００４５】
ＩＤカード３４から読み出した使用者識別情報と同じ使用者識別情報が使用可能者リストの使用者識別情報にあると、制御部１１１は、保持対象物品である鍵５３あるいは収納物９５の取り出しであるか返却であるかの入力を促す表示画面を表示部３１に表示させて、選択入力を待つ。
【００４６】
この状態で、操作部３２のＭＥＮＵキー１２１が押されると、制御部１１１は、記憶部１１２に使用者識別情報毎に個別に設定されている操作可能な操作可能項目の中から、今回ＩＤカード３４から読み出した使用者識別情報に対して許可されている操作可能項目を読み出し、操作可能項目の中から一つを選択させるための第１表示画面を表示部３１に表示させて、選択入力を待つ。なお、操作可能項目の中には、一つの適正なＩＤカード３４の走査があった場合（いわゆるシングル認証時）に選択可能となるものと、異なる二つの適正なＩＤカード３４の走査があった場合（いわゆるダブル認証時）に選択可能となるものとがある。
【００４７】
［返却遅延監視設定処理］
第１表示画面の操作可能項目の中に監視設定処理が含まれており、操作部３２を介してこの監視設定処理の選択入力がなされると、制御部１１１は、監視設定処理の複数の項目の中から一つを選択させるための、例えば、図６（ａ）に示すような第２表示画面２０２を表示部３１に表示させて、選択入力を待つ。監視設定処理の複数の項目の中から返却遅延監視設定処理が選択入力されると、制御部１１１は、返却遅延監視設定処理を行う。ここで、物品管理装置１１は、保持部４１から取り出された鍵５３および保持部４２から取り出された収納物９５の返却遅延を監視する返却遅延監視処理を行うことになり、返却遅延監視設定処理は、この返却遅延監視処理の設定を行う処理である。
【００４８】
この第２表示画面２０２では、監視設定処理中であることを示す「カンシセッテイ」の題目表示２０２ａと、監視設定処理の複数の選択項目として、前カバー１３の閉じ忘れを監視する前カバー監視処理の設定処理を選択させるための「１：マエカバー」の項目表示２０２ｂと、鍵５３あるいは収納物９５の返却遅延を監視する返却遅延監視処理の設定処理である返却遅延監視設定処理を選択させるための「２：ミヘンキャクホルダ」の項目表示２０２ｃと、物品管理装置１１への各種操作を監視する操作監視処理の設定処理を選択させるための「３：ソウサカンシ」の項目表示２０２ｄとを表示させる。それとともに、監視設定処理の複数の選択項目のうちのいずれを選択しているかを示す矢印表示２０２ｅと、矢印表示２０２ｅと上下位置が合う項目の番号を内側に表示させる項目番号表示欄２０２ｆとを表示させる。
【００４９】
この第２表示画面２０２の表示に対する選択操作として、操作部３２の上キー１２２あるいは下キー１２３が押される毎に、制御部１１１は、表示部３１の項目表示２０２ｂ〜２０２ｄの左側で矢印表示２０２ｅを上あるいは下に移動させると共に、矢印表示２０２ｅと上下位置が合う項目の番号を項目番号表示欄２０２ｆ内に表示させる。
【００５０】
第２表示画面２０２を表示部３１に表示させた状態で、例えば、図６（ａ）に示すように、「２：ミヘンキャクホルダ」の項目表示２０２ｃと矢印表示２０２ｅとの上下位置が合い、項目番号表示欄２０２ｆ内の数字が、返却遅延監視設定処理を示す「［２］」の表示となっている状態で、操作部３２のＥＮＴＥＲキー１２６が押されると、制御部１１１は、返却遅延監視設定処理を行う。
【００５１】
返却遅延監視設定処理において、制御部１１１は、返却遅延監視設定処理の複数の選択項目の中から一つを選択させるための、例えば、図６（ｂ）に示すような第３表示画面２０３を表示部３１に表示させて、選択入力を待つ。ここで、返却遅延監視設定処理で設定が行われる返却遅延監視処理には、鍵５３および収納物９５の取り出し後の保持部４１，４２への返却が、取り出し時点から所定のタイマ設定時間内に行われたか否かを監視するタイマ監視処理と、鍵５３および収納物９５の取り出し後の保持部４１，４２への返却が、時刻が所定の設定時刻となるまでに行われたか否かを監視する時刻監視処理とがあり、返却遅延監視設定処理の複数の選択項目には、タイマ監視処理の設定を行うタイマ監視設定処理と、時刻監視処理の設定を行う時刻監視設定処理とがある。
【００５２】
第３表示画面２０３では、返却遅延監視設定処理中であることを示す「ミヘンキャクホルダカンシ」の題目表示２０３ａと、返却遅延監視設定処理の選択項目として、タイマ監視設定処理を選択させるための「１：タイマカンシ」の項目表示２０３ｂと、時刻監視設定処理を選択させるための「２：ジコクカンシ」の項目表示２０３ｃとを表示させる。それとともに、返却遅延監視設定処理の選択項目のいずれを選択しているかを示す矢印表示２０３ｄと、矢印表示２０３ｄと上下位置が合う項目の番号を内側に表示させる項目番号表示欄２０３ｅとを表示させる。この第３表示画面２０３に対しても、第２表示画面２０２と同様の操作部３２への選択操作が行われる。
【００５３】
｛タイマ監視設定処理｝
返却遅延監視設定処理の複数の選択項目の中からタイマ監視設定処理が選択入力されると、制御部１１１は、タイマ監視設定処理を行う。すなわち、第３表示画面２０３を表示部３１に表示させた状態で、例えば、図６（ｂ）に示すように、「１：タイマカンシ」の項目表示２０３ｂと矢印表示２０３ｄとの上下位置が合い、項目番号表示欄２０３ｅ内の数字がタイマ監視設定処理を示す「［１］」の表示となっている状態で、ＥＮＴＥＲキー１２６が押されると、制御部１１１は、タイマ監視設定処理を行う。
【００５４】
タイマ監視設定処理において、制御部１１１は、まず、タイマ監視処理を行うか否かを選択させるための、例えば、図６（ｃ）に示すような第４表示画面２０４を表示部３１に表示させて、選択入力を待つ。
【００５５】
第４表示画面２０４では、タイマ監視設定処理中であることを示す「タイマカンシセッテイ」の題目表示２０４ａと、タイマ監視処理を行うことを選択させるための「１：オン」の項目表示２０４ｂと、タイマ監視処理を行わないことを選択させるための「２：オフ」の項目表示２０４ｃとを表示させる。それとともに、項目のいずれを選択しているかを示す矢印表示２０４ｄと、矢印表示２０４ｄと上下位置が合う項目の番号を内側に表示させる項目番号表示欄２０４ｅとを表示させる。この第４表示画面２０４に対しても、第２表示画面２０２と同様の操作部３２への選択操作が行われる。
【００５６】
タイマ監視処理を行う選択操作が入力されると、制御部１１１は、タイマ設定時間の設定を行うタイマ時間設定処理に移行する。すなわち、第４表示画面２０４を表示部３１に表示させ、例えば、図６（ｃ）に示すように、「１：オン」の項目表示２０４ｂと矢印表示２０４ｄとの上下位置が合い、項目番号表示欄２０４ｅが、オンを示す「［１］」の表示となっている状態で、ＥＮＴＥＲキー１２６が押されると、制御部１１１は、タイマ監視処理を行う設定として記憶部１１２に記憶させて、タイマ時間設定処理に移行する。
【００５７】
他方、「２：オフ」の項目表示２０４ｃと矢印表示２０４ｄとの上下位置が合い、項目番号表示欄２０４ｅが、オフを示す「［２］」の表示となっている状態で、ＥＮＴＥＲキー１２６が押されると、制御部１１１は、タイマ監視処理を行わない設定として記憶部１１２に記憶させて、タイマ監視設定処理を終了し、返却遅延監視設定処理の完了を確認させるための、例えば、図６（ｄ）に示すような第５表示画面２０５を表示部３１に表示させて、確認操作入力を待つ状態になる。
【００５８】
第５表示画面２０５では、返却遅延監視設定処理中であることを示す「ミヘンキャクホルダカンシ」の題目表示２０５ａと、「セッテイヲ  ヘンコウシマシタ  ＥＮＴＥＲヲ  オシテクダサイ」の案内表示２０５ｂとを表示させる。第５表示画面２０５を表示部３１に表示させた状態で、ＥＮＴＥＲキー１２６が押されると、制御部１１１は、複数の監視設定処理の複数の項目の中から一つを選択させるための第２表示画面２０２を表示部３１に表示させて、選択入力を待つ状態となる。この状態で、操作部３２のＣＥキー１２８が押されると、制御部１１１は、操作可能項目の中から一つを選択させるための第１表示画面を表示部３１に表示させて、選択入力を待つ状態に戻る。
【００５９】
タイマ時間設定処理において、制御部１１１は、タイマ設定時間を入力させるための、例えば、図７（ａ）に示すような第６表示画面２０６を表示部３１に表示させて、タイマ設定時間の入力を待つ。
【００６０】
第６表示画面２０６では、タイマ監視設定処理中であることを示す「タイマカンシセッテイ」の題目表示２０６ａと、タイマ設定時間の入力を促す「１−１２０ｍｉｎデ  セッテイシ  ＥＮＴＥＲヲ  オシテクダサイ」の案内表示２０６ｂと、入力されたタイマ設定時間を表示させるタイマ設定時間表示欄２０６ｃとを表示させる。この第６表示画面２０６を表示させた状態で、操作部３２の文字入力キー群１２７でタイマ設定時間が入力されると、制御部１１１は、入力されたタイマ設定時間を、タイマ設定時間表示欄２０６ｃに表示させる。
【００６１】
タイマ設定時間が入力された状態で、ＥＮＴＥＲキー１２６が押されると、制御部１１１は、入力されたタイマ設定時間を記憶部１１２に記憶させるとともに、タイマ時間設定処理を終了し、タイマ監視処理の対象となる保持部４１，４２を設定するタイマ監視対象設定処理に移行する。
【００６２】
タイマ監視対象設定処理において、制御部１１１は、タイマ監視処理の監視対象を入力させるための、例えば、図７（ｂ）に示すような第７表示画面２０７を表示部３１に表示させて、カバーロック機構６１のロックを解除して前カバー１３を開可能とするとともに、操作ボタン８２への入力を待つ。この状態で、前カバー１３は手動により開かれる。
【００６３】
第７表示画面２０７では、返却遅延監視設定処理中であることを示す「ミヘンキャクホルダカンシ」の題目表示２０７ａと、選択入力を促すための「ホルダヲ  エラビ  ＥＮＴＥＲヲ  オシテクダサイ」の案内表示２０７ｂとを表示させる。この第７表示画面２０７を表示させた状態で、操作ボタン８２の中から一つまたは複数が押圧操作されて、ＥＮＴＥＲキー１２６が押されると、制御部１１１は、保持部４１，４２のうち、操作ボタン８２が押圧操作されてオン状態となったもののみを全て、上記タイマ時間設定処理で入力されたタイマ設定時間で行うタイマ監視処理の監視対象に設定して記憶部１１２に記憶させてタイマ監視対象設定処理を終了する。
【００６４】
ここで、操作ボタン８２は、押圧操作の度にオンとオフとが交互に切り替わり、制御部１１１は、タイマ監視対象設定処理において、最初に全ての操作ボタン８２をオフ状態とする。そして、制御部１１１は、操作ボタン８２が押されずオフ状態にあれば、これと一体に設けられた表示ランプ８１を点灯させることはなく、オフ状態にある操作ボタン８２が押されてオン状態になると、これと一体に設けられた表示ランプ８１を点灯させる。表示ランプ８１が点灯しオン状態となった操作ボタン８２が押されてオフ状態となると表示ランプ８１を消灯させる。
【００６５】
タイマ監視対象設定処理において、タイマ監視処理の監視対象を設定すると、制御部１１１は、タイマ返却遅延理由有無設定処理に移行する。タイマ返却遅延理由有無設定処理において、制御部１１１は、返却遅延があった場合に返却遅延理由の入力の要否を選択させるための、例えば、図７（ｃ）に示すような第８表示画面２０８を表示部３１に表示させて、選択入力を待つ。
【００６６】
第８表示画面２０８では、タイマ返却遅延理由有無設定処理中であることを示す「チエンリユウホルダセッテイ」の題目表示２０８ａと、返却遅延理由の入力を要とすることを選択させるための「１：オン」の項目表示２０８ｂと、返却遅延理由の入力を不要とすることを選択させるための「２：オフ」の項目表示２０８ｃとを表示させる。それとともに、項目のいずれを選択しているかを示す矢印表示２０８ｄと、矢印表示２０８ｄと上下位置が合う項目の番号を内側に表示させる項目番号表示欄２０８ｅとを表示させる。この第８表示画面２０８に対しても、第２表示画面２０２と同様の操作部３２への選択操作が行われる。
【００６７】
返却遅延理由の入力要の選択操作が入力されると、制御部１１１は、タイマ監視処理における返却遅延発生時に返却遅延理由の入力を要するタイマ監視返却遅延理由要設定となる一方、返却遅延理由の入力不要の選択操作が入力されると、制御部１１１は、タイマ監視処理における返却遅延発生時に返却遅延理由の入力を不要とするタイマ監視返却遅延理由不要設定となる。
【００６８】
ここで、タイマ監視返却遅延理由要設定では、保持部４１，４２のうち、タイマ監視対象設定処理においてタイマ監視処理の監視対象に設定されたもののみを全て、タイマ監視処理における返却遅延発生時に返却遅延理由の入力を要するものとする一方、タイマ監視返却遅延理由不要設定では、保持部４１，４２のうち、タイマ監視対象設定処理においてタイマ監視処理の監視対象に設定されたもの全てを、タイマ監視処理における返却遅延発生時に返却遅延理由の入力を不要とする。
【００６９】
例えば、図７（ｃ）に示すように、「１：オン」の項目表示２０８ｂと矢印表示２０８ｄとの上下位置が合い、項目番号表示欄２０８ｅが、オンを示す「［１］」の表示となっている状態で、ＥＮＴＥＲキー１２６が押されると、制御部１１１は、タイマ監視処理における返却遅延発生時に返却遅延理由の入力を要するタイマ監視返却遅延理由要設定となって、返却遅延監視設定処理の完了を確認させるための第５表示画面２０５を表示部３１に表示させて、確認操作入力を待つ状態になる。
【００７０】
一方、「２：オフ」の項目表示２０８ｃと矢印表示２０８ｄとの上下位置が合い、項目番号表示欄２０８ｅが、オフを示す「［２］」の表示となっている状態で、ＥＮＴＥＲキー１２６が押されると、制御部１１１は、タイマ監視処理における返却遅延発生時に返却遅延理由の入力を不要とするタイマ監視返却遅延理由不要設定となり、返却遅延監視設定処理の完了を確認させるための第５表示画面２０５を表示部３１に表示させて、確認操作入力を待つ状態になる。
【００７１】
以上により、物品管理装置１１は、タイマ監視処理を行う設定になっていると、保持部４１，４２のうち、タイマ監視対象設定処理において監視対象に設定されたもののみについて、タイマ監視処理を行うことになり、タイマ監視対象設定処理において監視対象に設定された保持部４１，４２のうち、タイマ監視処理開始後の時間が、タイマ時間設定処理において設定されたタイマ設定時間を超過したものは、タイムオーバーとして返却遅延とする。そして、タイマ返却遅延理由有無設定処理において、返却遅延理由の入力要の選択操作が入力されてタイマ監視返却遅延理由要設定になっていると、返却遅延となった際には、返却遅延理由の入力を行わせることになる。他方、タイマ監視処理を行う設定になっていても、タイマ返却遅延理由有無設定処理において、返却遅延理由の入力不要の選択操作が入力されてタイマ監視返却遅延理由不要設定になっていると、返却遅延となった際に、返却遅延理由の入力を行わせることはない。また、タイマ監視処理を行う設定になっていなければ、タイマ監視処理を行わない。
【００７２】
なお、上記においては、タイマ返却遅延理由有無設定処理において、返却遅延理由の入力要の選択操作が入力されてタイマ監視返却遅延理由要設定になると、制御部１１１は、保持部４１，４２のうち、タイマ監視対象設定処理においてタイマ監視処理の監視対象に設定されたもの全てを、タイマ監視処理における返却遅延発生時に返却遅延理由の入力を要するものに設定したが、タイマ監視処理の監視対象に設定されたものの中から、タイマ監視処理における返却遅延発生時に返却遅延理由の入力を要するものを選択設定するようにしても良い。
【００７３】
すなわち、タイマ返却遅延理由有無設定処理において、制御部１１１は、保持部４１，４２のうち、タイマ監視対象設定処理においてタイマ監視処理の監視対象に設定されたものの中から、返却遅延があった場合に返却遅延理由の入力を要とするものを選択入力させるための、例えば、図８（ａ）に示すような第９表示画面２０９を、第８表示画面２０８にかえて表示部３１に表示させて、操作ボタン８２への入力を待つ。
【００７４】
第９表示画面２０９では、タイマ返却遅延理由有無設定処理中であることを示す「チエンリユウホルダセッテイ」の題目表示２０９ａと、選択入力を促すための「ホルダヲ  エラビ  ＥＮＴＥＲヲ  オシテクダサイ」の案内表示２０９ｂとを表示させる。この第９表示画面２０９を表示させた状態で、保持部４１，４２のうち、タイマ監視対象設定処理においてタイマ監視処理の監視対象に設定されたものの操作ボタン８２の中から一つまたは複数が押圧操作されて、ＥＮＴＥＲキー１２６が押されると、制御部１１１は、保持部４１，４２のうち、操作ボタン８２が押圧操作されてオン状態となったもののみを全て、タイマ監視処理における返却遅延発生時に返却遅延理由の入力を要するものに設定して記憶部１１２に記憶させる。
【００７５】
このタイマ返却遅延理由有無設定処理において、制御部１１１は、最初に、保持部４１，４２のうち、タイマ監視対象設定処理においてタイマ監視処理の監視対象に設定されたものの操作ボタン８２を全てオフ状態として表示ランプ８１を点滅させることになり、これら操作ボタン８２の中から、操作ボタン８２が押されてオン状態になると、これと一体に設けられた表示ランプ８１を点灯させる。表示ランプ８１が点灯しオン状態となった操作ボタン８２が押されてオフ状態となると表示ランプ８１を点滅させる。このとき、保持部４１，４２のうち、タイマ監視対象設定処理においてタイマ監視処理の監視対象に設定されたもの以外のものの操作ボタン８２については、押されてもオフ状態を維持し一体の表示ランプ８１を消灯状態に維持する。
【００７６】
次に、制御部１１１は、タイマ返却遅延理由有無設定処理の完了を確認させるための、例えば、図８（ｂ）に示すような第１０表示画面２１０を表示部３１に表示させて、確認操作入力を待つ。
【００７７】
第１０表示画面２１０では、タイマ返却遅延理由有無設定処理中であることを示す「チエンリユウホルダセッテイ」の題目表示２１０ａと、「セッテイヲ  ヘンコウシマシタ  ＥＮＴＥＲヲ  オシテクダサイ」の案内表示２１０ｂとを表示させる。第１０表示画面２１０を表示部３１に表示させた状態で、ＥＮＴＥＲキー１２６が押されると、制御部１１１は、タイマ返却遅延理由有無設定処理を終了し、上記と同様の返却遅延監視設定処理の完了を確認させるための第５表示画面２０５を表示部３１に表示させて、確認操作入力を待つ状態になる。
【００７８】
以上により、物品管理装置１１は、保持部４１，４２のタイマ監視設定処理の際に、返却遅延理由入力機能のオンおよびオフが選択設定されることになる。返却遅延理由入力機能のオンおよびオフの選択設定は、保持部４１，４２のうちタイマ監視処理の監視対象に設定されているもの全てを一括で設定したり、保持部４１，４２のうちタイマ監視処理の監視対象に設定されているものの中から一つまたは複数を選択設定したりできる。
【００７９】
｛時刻監視設定処理｝
返却遅延監視設定処理の複数の選択項目の中から時刻監視設定処理が選択入力されると、制御部１１１は、時刻監視設定処理を行う。すなわち、図６（ｂ）に示す第３表示画面２０３を表示部３１に表示させた状態で、「２：ジコクカンシ」の項目表示２０３ｃと矢印表示２０３ｄとの上下位置が合い、項目番号表示欄２０３ｅ内の数字が時刻監視設定処理を示す「［２］」の表示となっている状態で、ＥＮＴＥＲキー１２６が押されると、制御部１１１は、時刻監視設定処理を行う。
【００８０】
時刻監視設定処理において、制御部１１１は、まず、時刻監視処理を行うか否かを選択させるための、例えば、図９（ａ）に示すような第１１表示画面２１１を表示部３１に表示させて、選択入力を待つ。
【００８１】
第１１表示画面２１１では、時刻監視設定処理中であることを示す「ジコクカンシセッテイ」の題目表示２１１ａと、時刻監視処理を行うことを選択させるための「１：オン」の項目表示２１１ｂと、時刻監視処理を行わないことを選択させるための「２：オフ」の項目表示２１１ｃとを表示させる。それとともに、項目のいずれを選択しているかを示す矢印表示２１１ｄと、矢印表示２１１ｄと上下位置が合う項目の番号を内側に表示させる項目番号表示欄２１１ｅとを表示させる。この第１１表示画面２１１に対しても、第２表示画面２０２と同様の操作部３２への選択操作が行われる。
【００８２】
時刻監視処理を行う選択操作が入力されると、制御部１１１は、設定時刻の設定を行う時刻設定処理に移行する。すなわち、第１１表示画面２１１を表示部３１に表示させ、例えば、図９（ａ）に示すように、「１：オン」の項目表示２１１ｂと矢印表示２１１ｄとの上下位置が合い、項目番号表示欄２１１ｅが、オンを示す「［１］」の表示となっている状態で、ＥＮＴＥＲキー１２６が押されると、制御部１１１は、時刻監視処理を行う設定として記憶部１１２に記憶させて、時刻設定処理に移行する。
【００８３】
他方、「２：オフ」の項目表示２１１ｃと矢印表示２１１ｄとの上下位置が合い、項目番号表示欄２１１ｅが、オフを示す「［２］」の表示となっている状態で、ＥＮＴＥＲキー１２６が押されると、制御部１１１は、時刻監視処理を行わない設定として記憶部１１２に記憶させ、時刻監視設定処理を終了し、返却遅延監視設定処理の完了を確認させるための第５表示画面２０５を表示部３１に表示させて、確認操作入力を待つ状態になる。
【００８４】
時刻設定処理において、制御部１１１は、設定時刻を入力させるための、例えば、図９（ｂ）に示すような第１２表示画面２１２を表示部３１に表示させて、設定時刻の入力を待つ。
【００８５】
第１２表示画面２１２では、時刻監視設定処理中であることを示す「ジコクカンシセッテイ」の題目表示２１２ａと、設定時刻の入力を促す「ジコクヲ  セッテイシ  ＥＮＴＥＲヲ  オシテクダサイ」の案内表示２１２ｂと、入力された設定時刻を表示させる設定時刻表示欄２１２ｃとを表示させる。この第１２表示画面２１２を表示させた状態で、操作部３２の文字入力キー群１２７で設定時刻が入力されると、制御部１１１は、入力された設定時刻を設定時刻表示欄２１２ｃに表示させる。
【００８６】
設定時刻が入力された状態で、ＥＮＴＥＲキー１２６が押されると、制御部１１１は、入力された設定時刻を記憶部１１２に記憶させるとともに、時刻設定処理を終了し、時刻監視処理の対象となる保持部４１，４２を設定する時刻監視対象設定処理に移行する。
【００８７】
時刻監視対象設定処理において、制御部１１１は、時刻監視処理の監視対象を入力させるための、例えば、図９（ｃ）に示すような第１３表示画面２１３を表示部３１に表示させて、カバーロック機構６１のロックを解除して前カバー１３を開可能とするとともに、操作ボタン８２への入力を待つ。
【００８８】
第１３表示画面２１３では、返却遅延監視設定処理中であることを示す「ミヘンキャクホルダカンシ」の題目表示２１３ａと、選択入力を促すための「ホルダヲ  エラビ  ＥＮＴＥＲヲ  オシテクダサイ」の案内表示２１３ｂとを表示させる。この第１３表示画面２１３を表示させた状態で、操作ボタン８２の中から一つまたは複数が押圧操作されて、ＥＮＴＥＲキー１２６が押されると、制御部１１１は、保持部４１，４２のうち、操作ボタン８２が押圧操作されてオン状態となったもののみを全て、上記時刻設定処理で入力された設定時刻で行う時刻監視処理の監視対象に設定して記憶部１１２に記憶させて時刻監視対象設定処理を終了する。
【００８９】
ここでも、制御部１１１は、時刻監視対象設定処理において、最初に全ての操作ボタン８２をオフ状態とする。そして、制御部１１１は、操作ボタン８２が押されずオフ状態にあれば、これと一体に設けられた表示ランプ８１を点灯させることはなく、オフ状態にある操作ボタン８２が押されてオン状態になると、これと一体に設けられた表示ランプ８１を点灯させる。表示ランプ８１が点灯しオン状態となった操作ボタン８２が押されてオフ状態となると表示ランプ８１を消灯させる。
【００９０】
時刻監視対象設定処理において、時刻監視処理の監視対象を設定すると、制御部１１１は、時刻返却遅延理由有無設定処理に移行する。時刻返却遅延理由有無設定処理において、制御部１１１は、返却遅延があった場合に返却遅延理由の入力の要否を選択させるための、例えば、図１０（ａ）に示すような第１４表示画面２１４を表示部３１に表示させて、選択入力を待つ。
【００９１】
第１４表示画面２１４では、時刻返却遅延理由有無設定処理中であることを示す「チエンリユウホルダセッテイ」の題目表示２１４ａと、返却遅延理由の入力を要とすることを選択させるための「１：オン」の項目表示２１４ｂと、返却遅延理由の入力を不要とすることを選択させるための「２：オフ」の項目表示２１４ｃとを表示させる。それとともに、項目のいずれを選択しているかを示す矢印表示２１４ｄと、矢印表示２１４ｄと上下位置が合う項目の番号を内側に表示させる項目番号表示欄２１４ｅとを表示させる。この第１４表示画面２１４に対しても、第２表示画面２０２と同様の操作部３２への選択操作が行われる。
【００９２】
返却遅延理由の入力要の選択操作が入力されると、制御部１１１は、時刻監視処理における返却遅延発生時に返却遅延理由の入力を要する時刻監視返却遅延理由要設定となる一方、返却遅延理由の入力不要の選択操作が入力されると、制御部１１１は、時刻監視処理における返却遅延発生時に返却遅延理由の入力を不要とする時刻監視返却遅延理由不要設定となる。
【００９３】
ここで、時刻監視返却遅延理由要設定では、保持部４１，４２のうち、時刻監視対象設定処理において時刻監視処理の監視対象に設定されたもののみを全て、時刻監視処理における返却遅延発生時に返却遅延理由の入力を要するものとする一方、時刻監視返却遅延理由不要設定では、保持部４１，４２のうち、時刻監視対象設定処理において時刻監視処理の監視対象に設定されたもの全てを、時刻監視処理における返却遅延発生時に返却遅延理由の入力を不要とする。
【００９４】
例えば、図１０（ａ）に示すように、「１：オン」の項目表示２１４ｂと矢印表示２１４ｄとの上下位置が合い、項目番号表示欄２１４ｅが、オンを示す「［１］」の表示となっている状態で、ＥＮＴＥＲキー１２６が押されると、制御部１１１は、時刻監視処理における返却遅延発生時に返却遅延理由の入力を要する時刻監視返却遅延理由要設定となって、返却遅延監視設定処理の完了を確認させるための第５表示画面２０５を表示部３１に表示させて、確認操作入力を待つ状態になる。
【００９５】
一方、「２：オフ」の項目表示２１４ｃと矢印表示２１４ｄとの上下位置が合い、項目番号表示欄２１４ｅが、オフを示す「［２］」の表示となっている状態で、ＥＮＴＥＲキー１２６が押されると、制御部１１１は、時刻監視処理における返却遅延発生時に返却遅延理由の入力を不要とする時刻監視返却遅延理由不要設定となり、返却遅延監視設定処理の完了を確認させるための第５表示画面２０５を表示部３１に表示させて、確認操作入力を待つ状態になる。
【００９６】
以上により、物品管理装置１１は、時刻監視処理を行う設定になっていると、保持部４１，４２のうち、時刻監視対象設定処理において監視対象に設定されたもののみについて、時刻監視処理を行うことになり、時刻監視対象設定処理において監視対象に設定された保持部４１，４２のうち、時刻監視処理開始後、保持対象物品が取り出された状態のまま、時刻設定処理において設定された設定時刻を超過したものは、時刻超過として返却遅延とする。そして、時刻返却遅延理由有無設定処理において、返却遅延理由の入力要の選択操作が入力されて時刻監視返却遅延理由要設定になっていると、返却遅延となった際には、返却遅延理由の入力を行わせることになる。他方、時刻監視処理を行う設定になっていても、時刻返却遅延理由有無設定処理において、返却遅延理由の入力不要の選択操作が入力されて時刻監視返却遅延理由不要設定になっていると、返却遅延となった際に、返却遅延理由の入力を行わせることはない。また、時刻監視処理を行う設定になっていなければ、時刻監視処理を行わない。
【００９７】
なお、上記においては、時刻返却遅延理由有無設定処理において、返却遅延理由の入力要の選択操作が入力されて時刻監視返却遅延理由要設定になると、制御部１１１は、保持部４１，４２のうち、時刻監視対象設定処理において時刻監視処理の監視対象に設定されたもの全てを、時刻監視処理における返却遅延発生時に返却遅延理由の入力を要するものに設定したが、時刻監視処理の監視対象に設定されたものの中から、時刻監視処理における返却遅延発生時に返却遅延理由の入力を要するものを選択設定するようにしても良い。
【００９８】
すなわち、時刻返却遅延理由有無設定処理において、制御部１１１は、保持部４１，４２のうち、時刻監視対象設定処理において時刻監視処理の監視対象に設定されたものの中から、返却遅延があった場合に返却遅延理由の入力を要とするものを選択入力させるための、例えば、図１０（ｂ）に示すような第１５表示画面２１５を、第１４表示画面２１４にかえて表示部３１に表示させて、操作ボタン８２への入力を待つ。
【００９９】
第１５表示画面２１５では、時刻返却遅延理由有無設定処理中であることを示す「チエンリユウホルダセッテイ」の題目表示２１５ａと、選択入力を促すための「ホルダヲ  エラビ  ＥＮＴＥＲヲ  オシテクダサイ」の案内表示２１５ｂとを表示させる。この第１５表示画面２１５を表示させた状態で、保持部４１，４２のうち、時刻監視対象設定処理において時刻監視処理の監視対象に設定されたものの操作ボタン８２の中から一つまたは複数が押圧操作されて、ＥＮＴＥＲキー１２６が押されると、制御部１１１は、保持部４１，４２のうち、操作ボタン８２が押圧操作されてオン状態となったもののみを全て、時刻監視処理における返却遅延発生時に返却遅延理由の入力を要するものに設定して記憶部１１２に記憶させる。
【０１００】
この時刻返却遅延理由有無設定処理において、制御部１１１は、最初に、保持部４１，４２のうち、時刻監視対象設定処理において時刻監視処理の監視対象に設定されたものの操作ボタン８２を全てオフ状態として表示ランプ８１を点滅させることになり、これら操作ボタン８２の中から、操作ボタン８２が押されてオン状態になると、これと一体に設けられた表示ランプ８１を点灯させる。表示ランプ８１が点灯しオン状態となった操作ボタン８２が押されてオフ状態となると表示ランプ８１を点滅させる。このとき、保持部４１，４２のうち、時刻監視対象設定処理において時刻監視処理の監視対象に設定されたもの以外のものの操作ボタン８２については押されてもオフ状態を維持し一体の表示ランプ８１を消灯状態に維持する。
【０１０１】
次に、制御部１１１は、時刻返却遅延理由有無設定処理の完了を確認させるための、例えば、図１０（ｃ）に示すような第１６表示画面２１６を表示部３１に表示させて、確認操作入力を待つ。
【０１０２】
第１６表示画面２１６では、時刻返却遅延理由有無設定処理中であることを示す「チエンリユウホルダセッテイ」の題目表示２１６ａと、「セッテイヲ  ヘンコウシマシタ  ＥＮＴＥＲヲ  オシテクダサイ」の案内表示２１６ｂとを表示させる。第１６表示画面２１６を表示部３１に表示させた状態で、ＥＮＴＥＲキー１２６が押されると、制御部１１１は、時刻返却遅延理由有無設定処理を終了し、上記と同様の返却遅延監視設定処理の完了を確認させるための第５表示画面２０５を表示部３１に表示させて、確認操作入力を待つ状態になる。
【０１０３】
以上により、物品管理装置１１は、保持部４１，４２の時刻監視設定処理の際にも、返却遅延理由入力機能のオンおよびオフが選択設定されることになる。返却遅延理由入力機能のオンおよびオフの選択設定は、保持部４１，４２のうち時刻監視処理の監視対象に設定されているもの全てを一括で設定したり、保持部４１，４２のうち時刻監視処理の監視対象に設定されているものの中から一つまたは複数を選択設定したりできる。
【０１０４】
以上の返却遅延監視設定処理が行われることによって、全ての保持部４１，４２は、それぞれが、タイマ監視処理および時刻監視処理のいずれの監視対象にも設定されないもの、タイマ監視処理および時刻監視処理のうちタイマ監視処理のみの監視対象に設定されるもの、タイマ監視処理および時刻監視処理のうち時刻監視処理のみの監視対象に設定されるもの、タイマ監視処理および時刻監視処理の両方の監視対象に設定されるもの、のうちのいずれかとなる。
【０１０５】
［返却遅延理由設定処理］
物品管理装置１１においては、返却遅延があった場合に入力される返却遅延理由として、予め想定される複数の返却遅延理由が返却遅延理由の候補（返却遅延理由候補）として予め記憶部１１２に登録可能となっており、返却遅延があった場合に、これらの返却遅延理由候補の中から一つを選択入力可能となっている。上記した第１表示画面の操作可能項目の中に返却遅延理由設定処理が含まれている場合、操作部３２を介してこの返却遅延理由設定処理の選択入力がなされると、制御部１１１は、返却遅延理由候補を記憶部１１２に記憶させる返却遅延理由設定処理を行う。言い換えれば、物品管理装置１１において返却遅延理由の入力は、予め想定される返却遅延理由を返却遅延理由候補として返却遅延理由リストに登録しておき、入力時にはこの返却遅延理由リストから選択できるようになっている。
【０１０６】
返却遅延理由設定処理には、返却遅延理由候補を予め設定して記憶する返却遅延理由候補登録処理と、保持部４１，４２のうち、予め設定して記憶した返却遅延理由候補を使用するものを設定して記憶する理由候補使用対象設定処理とがある。返却遅延理由設定処理の選択入力がなされると、制御部１１１は、これら返却遅延理由候補登録処理および理由候補使用対象設定処理のうちの一方を選択させるための、例えば、図１１（ａ）に示すような第１７表示画面２１７を表示部３１に表示させて、選択入力を待つ。
【０１０７】
この第１７表示画面では、返却遅延理由設定処理中であることを示す「ヘンキャクチエンリユウセッテイ」の題目表示２１７ａと、返却遅延理由設定処理の選択項目として、返却遅延理由候補登録処理を選択させるための「１：チエンリユウメイショウ」の項目表示２１７ｂと、理由候補使用対象設定処理を選択させるための「２：チエンリユウコウホホルダ」の項目表示２１７ｃとを表示させる。それとともに、項目のいずれを選択しているかを示す矢印表示２１７ｄと、矢印表示２１７ｄと上下位置が合う項目の番号を内側に表示させる項目番号表示欄２１７ｅとを表示させる。この第１７表示画面２１７に対しても、第２表示画面２０２と同様の操作部３２への選択操作が行われる。
【０１０８】
返却遅延理由設定処理の複数の選択項目の中から返却遅延理由候補登録処理が選択入力されると、制御部１１１は、返却遅延理由候補登録処理を行う。すなわち、第１７表示画面２１７を表示部３１に表示させた状態で、例えば、図１１（ａ）に示すように、「１：チエンリユウメイショウ」の項目表示２１７ｂと矢印表示２１７ｄとの上下位置が合い、項目番号表示欄２１７ｅ内が、返却遅延理由候補登録処理を示す「［１］」の表示となっている状態で、ＥＮＴＥＲキー１２６が押されると、制御部１１１は、返却遅延理由候補登録処理を行う。
【０１０９】
返却遅延理由候補登録処理において、制御部１１１は、複数の昇順の符番のそれぞれについてリユウ番号を対応表示させた、例えば、図１１（ｂ）に示すような第１８表示画面２１８を表示部３１に表示させた状態で、返却遅延理由候補を設定する符番の入力を待機する。
【０１１０】
この第１８表示画面２１８では、返却遅延理由候補登録処理中であることを示す「チエンリユウメイショウ」の題目表示２１８ａと、項目として、符番が「１」であり、理由番号が「リユウ０１」であるものを選択させるための「１：リユウ０１」の符番理由番号表示欄２１８ｂと、項目として、符番が「２」であり、理由番号が「リユウ０２」であるものを選択させるための「２：リユウ０２」の符番理由番号表示欄２１８ｃと、項目として、符番が「３」であり、理由番号が「リユウ０３」であるものを選択させるための「３：リユウ０３」の符番理由番号表示欄２１８ｄとを表示させる。それとともに、項目のいずれを選択しているかを示す矢印表示２１８ｅと、矢印表示２１８ｅと上下位置が合う項目の符番を表示させる符番表示欄２１８ｆとを表示させる。この第１８表示画面２１８に対しても、第２表示画面２０２と同様の操作部３２への選択操作が行われる。
【０１１１】
第１８表示画面２１８は、順次続く同様の符番理由番号表示欄および符番表示欄が表示された図示略の第１９表示画面、第２０表示画面および第２１表示画面に続いており、操作部３２の上キー１２２あるいは下キー１２３の操作で、第１８表示画面２１８、図示略の第１９表示画面、図示略の第２０表示画面および図示略の第２１表示画面が切り替わるようになっている。そして、これら第１８表示画面２１８、図示略の第１９表示画面、図示略の第２０表示画面および図示略の第２１表示画面の中から、所望の符番理由番号表示欄が選択される。第１８表示画面２１８には、第１８表示画面２１８、図示略の第１９表示画面、図示略の第２０表示画面および図示略の第２１表示画面の４頁のうちの１頁目であることを示す「１／４」の頁表示２１８ｇが表示されている。
【０１１２】
第１８表示画面２１８を表示部３１に表示させた状態で、例えば、図１１（ｂ）に示すように、「１：リユウ０１」の符番理由番号表示欄２１８ｂと矢印表示２１８ｅとの上下位置が合い、符番表示欄２１８ｆが、符番「１」を示す「［１］」の表示となっている状態で、ＥＮＴＥＲキー１２６が押されると、制御部１１１は、例えば、図１１（ｃ）に示すような、返却遅延理由候補の入力を行わせるための第２２表示画面２２２を表示部３１に表示させる状態となり、符番「１」および理由番号「リユウ０１」に対応する返却遅延理由候補の入力を行わせる。
【０１１３】
第２２表示画面２２２では、返却遅延理由候補の入力を行う理由番号が「リユウ０１」であって、返却遅延理由候補登録処理中であることを示す「リユウ０１  メイショウ」の題目表示２２２ａと、返却遅延理由候補の入力を促す「メイショウヲ  ニュウリョクシ  ＥＮＴＥＲヲ  オシテクダサイ」の案内表示２２２ｂと、入力された返却遅延理由候補を内側に表示させる返却遅延理由候補表示欄２２２ｃとを表示させる。この第２２表示画面２２２を表示させた状態で、操作部３２の文字入力キー群１２７で文字列が入力されると、制御部１１１は、入力された文字列を返却遅延理由候補表示欄２２２ｃ内に表示させる。
【０１１４】
返却遅延理由候補表示欄２２２ｃに返却遅延理由候補が入力された状態で、ＥＮＴＥＲキー１２６が押されると、制御部１１１は、例えば、図１１（ｄ）に示すような、確認操作を行わせる第２３表示画面２２３を表示部３１に表示させる状態となり、符番「１」および理由番号「リユウ０１」として設定する返却遅延理由候補の確定操作を行わせる。
【０１１５】
第２３表示画面２２３では、返却遅延理由候補の入力を行う理由番号が「リユウ０１」であって、返却遅延理由候補登録処理中であることを示す「リユウ０１  メイショウ」の題目表示２２３ａと、確認操作を促す「セッテイヲ  ヘンコウシマシタ  ＥＮＴＥＲヲ  オシテクダサイ」の案内表示２２３ｂとを表示させる。
【０１１６】
この第２３表示画面２２３を表示させた状態で、ＥＮＴＥＲキー１２６が押されると、制御部１１１は、符番、理由番号および今回入力された返却遅延理由候補を対応付けて記憶部１１２に記憶させて、これら符番および理由番号に対する返却遅延理由候補登録処理を終了する。すなわち、符番「１」および理由番号「リユウ０１」に対応付けして、今回入力された返却遅延理由候補を記憶部１１２に記憶させて、符番「１」および理由番号「リユウ０１」に対する返却遅延理由候補登録処理を終了する。その後、第１８表示画面２１８を表示部３１に表示させる状態となって、次に返却遅延理由候補を設定する符番および理由番号の入力を待機する。これにより、複数の符番および理由番号について、それぞれ対応する返却遅延理由候補の入力および記憶部１１２への記憶が可能となる。なお、表示部３１に第２３表示画面２２３を表示させた状態で、ＣＥキー１２８が押されると、制御部１１１は、表示部３１を第２２表示画面２２２を表示させる状態に戻し、返却遅延理由候補の入力し直しを可能とする状態になる。
【０１１７】
第１８表示画面２１８を表示部３１に表示させた状態で、ＣＥキー１２８が押されると、制御部１１１は、第１７表示画面２１７を表示部３１に表示させて、選択入力を待つ状態になる。
【０１１８】
第１７表示画面２１７を表示部３１に表示させた状態で、返却遅延理由設定処理の複数項目の中から理由候補使用対象設定処理が選択入力されると、制御部１１１は、理由候補使用対象設定処理を行う。すなわち、第１７表示画面２１７を表示部３１に表示させた状態で、「２：チエンリユウコウホホルダ」の項目表示２１７ｃと矢印表示２１７ｄとの上下位置が合い、項目番号表示欄２１７ｅ内が、理由候補使用対象設定処理を示す「［２］」の表示となっている状態で、ＥＮＴＥＲキー１２６が押されると、制御部１１１は、理由候補使用対象設定処理を行う。
【０１１９】
理由候補使用対象設定処理において、制御部１１１は、理由候補使用対象を入力させるための、例えば、図１２（ａ）に示すような第２４表示画面２２４を表示部３１に表示させて、カバーロック機構６１のロックを解除して前カバー１３を開可能とするとともに、操作ボタン８２への入力を待つ。
【０１２０】
第２４表示画面２２４では、例えば、保持部４１，４２のうち、予め設定して記憶した返却遅延理由候補を使用するものを設定する理由候補使用対象設定処理中であることを示す「チエンリユウコウホホルダセッテイ」の題目表示２２４ａと、選択入力を促すための「ホルダヲ  エラビ  ＥＮＴＥＲヲ  オシテクダサイ」の案内表示２２４ｂとを表示させる。この第２４表示画面２２４を表示させた状態で、操作ボタン８２の中から一つまたは複数が押圧操作されて、ＥＮＴＥＲキー１２６が押されると、制御部１１１は、保持部４１，４２のうち、操作ボタン８２が押圧操作されてオン状態となったもののみを全て、予め設定して記憶した返却遅延理由候補を使用する理由候補使用対象に設定して記憶部１１２に記憶させて、理由候補使用対象設定処理を終了する。
【０１２１】
このとき、保持部４１，４２のうち、タイマ監視設定処理においてタイマ監視返却遅延理由要設定に設定されているものおよび時刻監視設定処理において時刻監視返却遅延理由要設定に設定されているもののみが操作ボタン８２をオン状態とすることが可能となり、それ以外のものの操作ボタン８２については、押されてもオフ状態を維持し一体の表示ランプ８１を消灯状態に維持する。
【０１２２】
ここでも、操作ボタン８２は、押圧操作の度にオンとオフとが切り替わり、制御部１１１は、最初に、保持部４１，４２のうち、タイマ監視返却遅延理由要設定に設定されているものの操作ボタン８２および時刻監視返却遅延理由要設定に設定されているものの操作ボタン８２を全てオフ状態として表示ランプ８１を点滅させることになり、これら操作ボタン８２の中から、操作ボタン８２が押されてオン状態になると、これと一体に設けられた表示ランプ８１を点灯させる。表示ランプ８１が点灯しオン状態となった操作ボタン８２が押されてオフ状態となると表示ランプ８１を点滅させる。
【０１２３】
次に、制御部１１１は、理由候補使用対象設定処理の完了を確認させるための、例えば、図１２（ｂ）に示すような第２５表示画面２２５を表示部３１に表示させて、確認操作入力を待つ。
【０１２４】
第２５表示画面２２５では、理由候補使用対象設定処理中であることを示す「チエンリユウコウホホルダセッテイ」の題目表示２２５ａと、「セッテイヲ  ヘンコウシマシタ  ＥＮＴＥＲヲ  オシテクダサイ」の案内表示２２５ｂとを表示させる。第２５表示画面２２５を表示部３１に表示させた状態で、ＥＮＴＥＲキー１２６が押されると、制御部１１１は、第１７表示画面２１７を表示部３１に表示させることになる。第１７表示画面２１７を表示部３１に表示させた状態で、ＣＥキー１２８が押されると、上記した第１表示画面を表示部３１に表示させる状態になる。
【０１２５】
ここで、上記の返却遅延理由候補登録処理で複数の返却遅延理由候補が入力された第１登録パターンを記憶し、その後、理由候補使用対象設定処理を行って、保持部４１，４２のうち、タイマ監視返却遅延理由要設定に設定されているものおよび時刻監視返却遅延理由要設定に設定されているものの中から一つまたは複数を選択して、この第１登録パターンを使用するものに設定し、次に、上記の返却遅延理由候補登録処理で複数の返却遅延理由候補が入力された第２登録パターンを記憶し、その後、理由候補使用対象設定処理を行って、保持部４１，４２のうち、タイマ監視返却遅延理由要設定に設定されているものおよび時刻監視返却遅延理由要設定に設定されているものの中から別の一つまたは複数を選択して、この第２登録パターンを使用するものに設定する、といった処理を適宜繰り返しても良い。この場合、上記の返却遅延理由候補登録処理を予め複数回行って、返却遅延理由候補の登録パターンを複数パターン予め記憶部１１２に記憶させておき、その後、各登録パターンに対して、理由候補使用対象設定処理で使用する保持部４１，４２を設定するようにしても良い。
【０１２６】
以上においては、返却遅延理由候補登録処理によって返却遅延理由候補の登録パターンを登録してから、理由候補使用対象設定処理によってそれを使用する理由候補使用対象を設定する流れについて説明したが、返却遅延理由候補を使用する理由候補使用対象を設定した後、この理由候補使用対象で使用する返却遅延理由候補を登録することも可能となっている。
【０１２７】
また、予め返却遅延理由候補登録処理によって返却遅延理由候補の登録パターンを登録しておき、上記したタイマ監視設定処理においてタイマ監視返却遅延理由要設定を設定する際および時刻監視設定処理において時刻監視返却遅延理由要設定を設定する際に、登録された登録パターンを使用するように設定することも可能である。この場合も、予め複数の登録パターンを登録しておき、これらの登録パターンの中から使用する登録パターンを設定するようにできる。
【０１２８】
以上により、物品管理装置１１は、保持部４１，４２のうち、タイマ監視設定処理においてタイマ監視返却遅延理由要設定に設定されたもの、および時刻監視設定処理において時刻監視返却遅延理由要設定に設定されたものに対して、返却遅延理由候補を、纏めて設定可能となっており、個別にも設定可能となっている。
【０１２９】
また、物品管理装置１１は、保持部４１，４２のうち、タイマ監視設定処理においてタイマ監視返却遅延理由要設定に設定されているもの、および時刻監視設定処理において時刻監視返却遅延理由要設定に設定されているものに対して、返却遅延理由候補を使用する機能を、纏めてオンおよびオフ可能となっており、個別にもオンおよびオフ可能となっている。
【０１３０】
［取り出し処理］
待機状態で、適正なＩＤカード３４がカードリーダ３３に走査されると、制御部１１１は、鍵５３あるいは収納物９５の取り出しであるか返却であるかの入力を促す表示画面を表示部３１に表示させて、選択入力を待つ。この状態で、取り出しの選択操作が入力されると、制御部１１１は、取り出し処理を行う。取り出し処理では、カバーロック機構６１のロックを解除して、前カバー１３を開可能とする。
【０１３１】
この状態で、前カバー１３が開かれて、例えば、ＩＤカード３４からカードリーダ３３が読み出した使用者識別情報に対して鍵５３の取り出しが許可されている保持部４１の操作ボタン８２が押されると、制御部１１１は、この保持部４１の鍵ロック機構７６を駆動してロックを解除するとともに、この操作ボタン８２の表示ランプ８１を点灯させる。そして、この保持部４１から鍵ホルダ５２すなわち鍵５３が取り外されたことをＩＣタグリーダ８５が検出すると、制御部１１１は、この取り外しに際して入力された使用者識別情報と、鍵ホルダ５２が取り外されたこの保持部４１の識別情報と、取り出しの日時情報とを取り出し履歴として記憶部１１２に記憶させる。
【０１３２】
加えて、この保持部４１が、タイマ監視処理および時刻監視処理のいずれの監視対象にも設定されていないか、タイマ監視処理のみの監視対象に設定されているか、時刻監視処理のみの監視対象に設定されているか、タイマ監視処理および時刻監視処理の両方の監視対象に設定されるかを判定する。この保持部４１が、タイマ監視処理の監視対象である場合、制御部１１１は、この保持部４１に対するタイマ監視処理を開始して計時を開始する。また、この保持部４１が、時刻監視処理の監視対象である場合、制御部１１１は、この保持部４１に対する時刻監視処理を開始する。
【０１３３】
また、上記のように前カバー１３が開かれて、例えば、ＩＤカード３４からカードリーダ３３が読み出した使用者識別情報に対して収納物９５の取り出しが許可されている保持部４２の操作ボタン８２が押されると、制御部１１１は、この保持部４２の引出ロック機構９２を駆動してロックを解除するとともに、この操作ボタン８２の表示ランプ８１を点灯させる。そして、この保持部４２の引出部材９１が引き出され、この引出部材９１から収納物９５が取り出され、この引出部材９１が押し込まれたことを押込検出センサ９８および有無検出センサ９９が検出すると、制御部１１１は、この保持部４２の引出ロック機構９２を駆動して引出部材９１をロックするとともに、この取り外しに際して入力された使用者識別情報と、収納物９５が取り出されたこの保持部４２の識別情報と、取り出しの日時情報とを取り出し履歴として記憶部１１２に記憶させる。
【０１３４】
加えて、この保持部４２が、タイマ監視処理および時刻監視処理のいずれの監視対象にも設定されていないか、タイマ監視処理のみの監視対象に設定されているか、時刻監視処理のみの監視対象に設定されているか、タイマ監視処理および時刻監視処理の両方の監視対象に設定されるかを判定する。この保持部４２が、タイマ監視処理の監視対象である場合、制御部１１１は、この保持部４２に対するタイマ監視処理を開始して計時を開始する。また、この保持部４２が、時刻監視処理の監視対象である場合、制御部１１１は、この保持部４２に対する時刻監視処理を開始する。
【０１３５】
［返却処理］
物品管理装置１１は、保持部４１，４２のうち保持対象物品の取り出しが行われているものの中で、ＩＤカード３４の使用者識別情報に関連付けされたもののみについて保持対象物品の返却が可能となる返却時使用者確認設定モードと、ＩＤカード３４の使用者識別情報とは無関係に、全てについて保持対象物品の返却が可能となる返却時使用者確認未設定モードとのうちの一方のモードが選択されて設定されている。
【０１３６】
返却時使用者確認未設定モードおよび返却時使用者確認設定モードにいずれにおいても、待機状態で、適正なＩＤカード３４がカードリーダ３３に走査されると、制御部１１１は、鍵５３あるいは収納物９５の取り出しであるか返却であるかの入力を促す表示画面を表示部３１に表示させて、選択入力を待つ。返却の選択操作が入力されると、制御部１１１は返却処理を行う。
【０１３７】
返却時使用者確認未設定モードでの返却処理では、カバーロック機構６１のロックを解除して、前カバー１３を開可能とするとともに、保持部４１，４２のうち保持対象物品の取り出しが行われているもの全ての表示ランプ８１を点灯させる。すなわち、返却時使用者確認未設定モードでは、保持部４１，４２のうち保持対象物品の取り出しが行われているもの全てについて保持対象物品の返却が可能となっている。
【０１３８】
この状態で、例えば、保持対象物品としての鍵５３が取り出されている保持部４１の挿入穴７５に鍵５３の鍵ホルダ５２が挿入されると、制御部１１１は、鍵ホルダ５２のＩＣタグ７３とＩＣタグリーダ８５が通信して、挿入された鍵ホルダ５２が、この保持部４１に対応する適正なものであると判断すると、この保持部４１の鍵ロック機構７６を駆動して鍵ホルダ５２をロックするとともに、この保持部４１の表示ランプ８１を消灯させる。そして、鍵５３が返却されたこの保持部４１の識別情報と、返却実行の日時情報とを、取り出し時の使用者識別情報および日時情報と関連付けて返却履歴として記憶部１１２に記憶させる。なお、挿入された鍵ホルダ５２が保持部４１に対応する適正なものでない場合、この保持部４１に鍵ホルダ５２をロックすることはなく、表示部３１に、この保持部４１の識別と返却異常の警告画面を表示させる。
【０１３９】
加えて、制御部１１１は、この保持部４１が、タイマ監視処理の監視対象である場合、タイマ監視処理の計時を終了してタイマ監視処理を終了する。また、制御部１１１は、この保持部４１が、時刻監視処理の監視対象である場合、時刻監視処理を終了する。
【０１４０】
上記のように、前カバー１３を開可能とし、保持部４１，４２のうち保持対象物品の取り出しが行われているもの全ての表示ランプ８１を点灯させた状態で、例えば、保持対象物品としての収納物９５の取り出しが行われている保持部４２の操作ボタン８２が押されると、制御部１１１は、この保持部４２の引出ロック機構９２を駆動してロックを解除するとともに、この保持部４２の表示ランプ８１を点滅させる。そして、この保持部４２の引出部材９１が引き出され、この引出部材９１に収納物９５が戻され、この引出部材９１が押し込まれたことを押込検出センサ９８および有無検出センサ９９が検出すると、制御部１１１は、この保持部４２の表示ランプ８１を消灯させるとともに、収納物９５が返却されたこの保持部４２の識別情報と、返却実行の日時情報とを、取り出し時の使用者識別情報および日時情報と関連付けて返却履歴として記憶部１１２に記憶させる。
【０１４１】
加えて、制御部１１１は、この保持部４２が、タイマ監視処理の監視対象である場合、タイマ監視処理の計時を終了してタイマ監視処理を終了する。また、制御部１１１は、この保持部４２が、時刻監視処理の監視対象である場合、時刻監視処理を終了する。
【０１４２】
返却時使用者確認設定モードでの返却処理では、制御部１１１は、適正なＩＤカード３４がカードリーダ３３に走査され、返却の選択操作が入力されると、カバーロック機構６１のロックを解除して、前カバー１３を開可能とするとともに、保持部４１，４２のうち、保持対象物品の取り出しが行われているものであって、カードリーダ３３がＩＤカード３４から読み出した使用者識別情報に対し保持対象物品の返却が許可されているもののみ表示ランプ８１を点灯させる。すなわち、返却時使用者確認設定モードでは、保持部４１，４２の保持対象物品の取り出しが行われているもののうち、カードリーダ３３が読み出した使用者識別情報に対し許可されているもののみについて保持対象物品の返却が可能となっている。よって、保持部４１に挿入された鍵ホルダ５２がこの保持部４１に対応する適正なものであっても、この保持部４１が、カードリーダ３３が読み出した使用者識別情報に対し保持対象物品の返却が許可されていなければ、この保持部４１に鍵ホルダ５２をロックすることはなく、表示部３１に、この保持部４１の識別と返却異常の警告画面を表示させる。
【０１４３】
この返却時使用者確認設定モードでの返却処理は、保持対象物品の返却が保持部４１，４２のうち使用者識別情報に対し許可されているものに制限される点と、記憶部１１２への記憶内容とが、返却時使用者確認未設定モードとは相違するものの、それ以外は、返却時使用者確認未設定モードとほぼ同様である。保持部４１，４２のうち、ＩＤカード３４から読み取った使用者識別情報に対し保持対象物品の返却が許可されているものは、基本的に、この使用者識別情報で取り出しが行われたものである。なお、管理者の使用者識別情報は、全保持部４１および全保持部４２への返却が許可されている。
【０１４４】
返却が許可された保持部４１に鍵５３が返却されると、この返却時の使用者識別情報と、鍵５３が返却された保持部４１の識別情報と、返却実行の日時情報とを、取り出し時の使用者識別情報および日時情報と関連付けて返却履歴として記憶部１１２に記憶させる。また、収納物９５の返却が許可されている保持部４２に収納物９５が返却されると、この返却時の使用者識別情報と、収納物９５が返却された保持部４２の識別情報と、返却実行の日時情報とを、取り出し時の使用者識別情報および日時情報と関連付けて返却履歴として記憶部１１２に記憶させる。
【０１４５】
［返却遅延監視処理］
制御部１１１は、保持部４１，４２のうち、鍵５３あるいは収納物９５の取り出しが行われているものについて、タイマ監視処理の監視対象のものに対してはタイマ監視処理を、時刻監視処理の監視対象のものに対しては時刻監視処理を行っている。タイマ監視処理の監視対象のものについてタイマ監視処理の計時時間が予め設定されたタイマ設定時間を超えてタイムオーバーの返却遅延が発生した場合、および、時刻監視処理の監視対象のものについて現在時刻が予め設定された設定時刻を超過して時刻超過の返却遅延が発生した場合、制御部１１１は、遅延返却処理を行う。遅延返却処理では、報知音発生部１１３にアラーム音を発生させる。ここでは、保持部４１，４２のうち、返却遅延が発生したものが、タイマ監視返却遅延理由要設定に設定されており、時刻監視返却遅延理由要設定にも設定されている場合について説明する。
【０１４６】
返却時使用者確認未設定モードでは、この状態で、カードリーダ３３に適正なＩＤカード３４が走査されると、制御部１１１は、カバーロック機構６１のロックを解除して、前カバー１３を開可能とするとともに、保持部４１，４２のうち、返却遅延が発生しているものの表示ランプ８１を点滅させる。
【０１４７】
返却遅延が発生している保持部４１の挿入穴７５に鍵５３の鍵ホルダ５２が挿入されると、制御部１１１は、鍵ホルダ５２のＩＣタグ７３とＩＣタグリーダ８５が通信し、挿入された鍵ホルダ５２が、この保持部４１に対応する適正なものであると判断すると、この保持部４１の鍵ロック機構７６を駆動して鍵ホルダ５２をロックするとともに、この保持部４１の表示ランプ８１を消灯させる。その一方で、報知音発生部１１３のアラーム音発生は継続させる。それとともに、この保持部４１が、理由候補使用対象であれば、表示部３１に、返却遅延理由の選択入力を促す返却遅延理由表示画面である、例えば、図１３（ａ）に示すような第２６表示画面２２６を表示させる。
【０１４８】
第２６表示画面２２６は、同じく返却遅延理由表示画面である図示略の第２７表示画面、図示略の第２８表示画面、および、図１３（ｂ）に示すような第２９表示画面２２９に続いており、操作部３２の上キー１２２あるいは下キー１２３の操作で、第２６表示画面２２６、図示略の第２７表示画面、図示略の第２８表示画面および第２９表示画面２２９が切り替わるようになっている。第２６表示画面２２６、図示略の第２７表示画面、図示略の第２８表示画面および第２９表示画面２２９では、複数の昇順の符番のそれぞれについて現在登録されている返却遅延理由候補を対応表示させており、使用する返却遅延理由候補の選択入力を待機する。なお、制御部１１１は、鍵ホルダ５２のＩＣタグ７３とＩＣタグリーダ８５との通信で、挿入された鍵ホルダ５２が保持部４１に対応する適正なものではないと判断した場合に、この保持部４１に鍵ホルダ５２をロックすることはなく、この保持部４１の表示ランプ８１を消灯させることもない。
【０１４９】
また、例えば、返却遅延が発生している保持部４２の操作ボタン８２が押されると、制御部１１１は、この保持部４２の引出ロック機構９２を駆動してロックを解除する。そして、この保持部４２の引出部材９１が引き出され、この引出部材９１に収納物９５が戻されて引出部材９１が押し込まれたことを押込検出センサ９８および有無検出センサ９９が検出すると、この保持部４２の引出ロック機構９２を駆動してこの保持部４２をロックするとともに、表示ランプ８１を消灯させる。その一方で、報知音発生部１１３のアラーム音の発生は継続させる。それとともに、この保持部４２が、理由候補使用対象であれば、表示部３１に、返却遅延理由の選択入力を促す返却遅延理由表示画面である第２６表示画面２２６を表示させて、使用する返却遅延理由候補の選択入力を待機する。なお、制御部１１１は、この保持部４２の引出部材９１に収納物９５が戻されて引出部材９１が押し込まれたことを有無検出センサ９９および押込検出センサ９８が検出しなければ、この保持部４２をロックすることはなく、この保持部４２の表示ランプ８１を消灯させることもない。
【０１５０】
第２６表示画面２２６では、返却遅延理由候補の選択処理中であることを示す「チエンリユウセンタク」の題目表示２２６ａと、符番「１」に対して設定された返却忘れの返却遅延理由を選択させるための「１：ヘンキャクワスレ」の項目表示２２６ｂと、符番「２」に対して設定された作業遅れの返却遅延理由を選択させるための「２：サギョウオクレ」の項目表示２２６ｃと、符番「３」に対して設定された装置エラーの返却遅延理由を選択させるための「３：ソウチエラー」の項目表示２２６ｄとを表示させる。それとともに、項目のいずれを選択しているかを示す矢印表示２２６ｅと、矢印表示２２６ｅと上下位置が合う項目の符番を表示させる符番表示欄２２６ｆと、第２６表示画面２２６、図示略の第２７表示画面、図示略の第２８表示画面および第２９表示画面２２９の４頁のうちの１頁目であることを示す「１／４」の頁表示２２６ｇとを表示させる。
【０１５１】
第２９表示画面２２９では、返却遅延理由候補の選択処理中であることを示す「チエンリユウセンタク」の題目表示２２９ａと、符番「１０」に対して設定された紛失または破損の返却遅延理由を選択させるための「１０：フンシツ／ハソン」の項目表示２２９ｂとを表示させる。さらに、この第２９表示画面２２９では、符番「１１」に対して設定された、第２６表示画面２２６に戻すことを選択させるための「１１：ツギヘ」の項目表示２２９ｃと、符番「１２」に対して設定された、選択肢にない返却遅延理由候補のテキスト入力を選択させるための「１２：ソノタ」の項目表示２２９ｄとを表示させる。それとともに、項目のいずれを選択しているかを示す矢印表示２２９ｅと、矢印表示２２６ｅと上下位置が合う項目の符番を表示させる符番表示欄２２９ｆと、第２６表示画面２２６、図示略の第２７表示画面、図示略の第２８表示画面および第２９表示画面２２９の４頁のうちの４頁目であることを示す「４／４」の頁表示２２９ｇとを表示させる。
【０１５２】
この状態で、いずれかの返却遅延理由候補が選択されて確定入力されると、制御部１１１は、報知音発生部１１３のアラーム音の発生を終了するとともに、今回遅延して鍵５３が返却された保持部４１あるいは今回遅延して収納物９５が返却された保持部４２の識別情報と、返却遅延発生の日時情報と、返却実行の日時情報と、返却遅延がタイムオーバーおよび時刻超過のいずれであるのかを示すエラー名称と、選択された返却遅延理由候補とを、取り出し時の使用者識別情報および日時情報と関連付けて返却履歴として記憶部１１２に記憶させる。加えて、制御部１１１は、保持部４１，４２のうち保持対象物品の返却が行われたものついて、これを監視対象としているタイマ監視処理および時刻監視処理を終了する。
【０１５３】
第２６表示画面２２６で、例えば、図１３（ａ）に示すように「１：ヘンキャクワスレ」の項目表示２２６ｂに矢印表示２２６ｅが上下位置を合わせ、符番表示欄２２６ｆに「１」の符番が表示された状態で、ＥＮＴＥＲキー１２６が押されると、制御部１１１は、選択された返却遅延理由候補としての「返却忘れ」を含んで上記情報を返却履歴として記憶部１１２に記憶させる。
【０１５４】
なお、返却遅延理由候補の選択入力は、一つに限らず、複数を選択可能とし、選択入力された複数の返却遅延理由候補を、保持部４１，４２のうちの保持対象物品の返却が行われたものに関連付けて返却履歴として記憶部１１２に記憶させても良い。すなわち、保持部４１，４２のうちの返却遅延があって保持対象物品の返却が行われたものに関連付けて、少なくとも一つの返却遅延理由候補から選択入力させて、返却履歴として記憶部１１２に記憶させる。
【０１５５】
また、返却遅延理由表示画面である第２６表示画面２２６、図示略の第２７表示画面、図示略の第２８表示画面および第２９表示画面２２９の選択肢にない返却遅延理由候補がテキスト入力される際には、返却遅延理由をテキスト入力する選択肢が選択されて入力されると、制御部１１１が、表示部３１に、例えば、図１３（ｃ）に示すような第３０表示画面２３０を表示させて、返却遅延理由のテキスト入力を促す旨の表示を行い、操作部３２への入力を待機する。すなわち、第２９表示画面２２９で、図１３（ｂ）に示すように「１２：ソノタ」の項目表示２２９ｄに矢印表示２２９ｅが上下位置を合わせ、符番表示欄２２９ｆに「１２」の符番が表示された状態で、ＥＮＴＥＲキー１２６が押されると、制御部１１１は、表示部３１に第３０表示画面２３０を表示させる。
【０１５６】
この第３０表示画面２３０は、その他の返却遅延理由をテキスト入力する画面であることを示す「ソノタチエンリユウ」の題目表示２３０ａと、返却遅延理由のテキスト入力を促す「メイショウヲ  ニュウリョクシ  ＥＮＴＥＲヲ  オシテクダサイ」の案内表示２３０ｂと、入力された文字列を表示させる入力文字表示欄２３０ｃとを表示させる。この第３０表示画面２３０を表示させた状態で、操作部３２の文字入力キー群１２７で文字列が入力されると、制御部１１１は、入力されたテキスト文字列を入力文字表示欄２３０ｃに表示させる。
【０１５７】
返却遅延理由がテキスト入力された状態で、確定入力としてＥＮＴＥＲキー１２６が押されると、制御部１１１は、入力された返却遅延理由と、今回遅延して鍵５３が返却された保持部４１あるいは今回遅延して収納物９５が返却された保持部４２の識別情報と、返却遅延がタイムオーバーおよび時刻超過のいずれであるのかを示すエラー名称と、返却遅延発生の日時情報と、返却実行の日時情報とを、取り出し時の使用者識別情報および日時情報と関連付けて返却履歴として記憶部１１２に記憶させる。加えて、制御部１１１は、保持部４１，４２のうち保持対象物品の返却が行われたものについて、これを監視対象としているタイマ監視処理および時刻監視処理を終了する。
【０１５８】
他方、返却時使用者確認設定モードでの遅延返却処理では、返却時使用者確認未設定モードと同様に、報知音発生部１１３にアラーム音を発生させることになるが、このとき、制御部１１１は、表示部３１に、ＩＤカード３４のカードリーダ３３への走査を促す、例えば、図１４（ａ）に示すような第３１表示画面２３１を表示させる。すなわち、返却時使用者確認未設定モードでの遅延返却処理は、その前に前カバー１３が開状態になっていた場合、ＩＤカード３４のカードリーダ３３への走査がなくても保持対象物の返却が可能になるが、返却時使用者確認設定モードでの遅延返却処理では、ＩＤカード３４のカードリーダ３３への走査が必要となる。
【０１５９】
第３１表示画面２３１は、その時点での日時情報を表示させる「２０ＸＸ／１１／１２  １０：１５」の日時表示２３１ａと、ＩＤカード３４のカードリーダ３３への走査を促す「カード  ヲ  イレテクダサイ」の案内表示２３１ｂとを表示させている。なお、このとき、表示部３１に、保持部４１，４２のうちの返却遅延が発生したものの識別を含むアラーム内容を表示部３１に表示させても良い。
【０１６０】
この状態で、カードリーダ３３に、適正なＩＤカード３４が走査されると、制御部１１１は、鍵５３あるいは収納物９５の取り出しであるか返却であるかの入力を促す、例えば、図１４（ｂ）に示すような第３２表示画面２３２を表示部３１に表示させて、選択入力を待つ。
【０１６１】
第３２表示画面２３２では、「トリダシ／ヘンキャク  ヲ  センタクシテクダサイ」の案内表示２３２ａを表示させるとともに、選択項目として、取り出しを選択させるための「１：トリダシ」の項目表示２３２ｂと、返却を選択させるための「２：ヘンキャク」の項目表示２３２ｃとを表示させる。それとともに、選択項目のいずれを選択しているかを示す矢印表示２３２ｄと、矢印表示２３２ｄと上下位置が合う選択項目の番号を表示させる項目番号表示欄２３２ｅとを表示させる。この第３２表示画面２３２に対しても、第２表示画面２０２と同様の操作部３２への選択操作が行われる。
【０１６２】
第３２表示画面２３２において、例えば、図１４（ｂ）に示すように、返却を選択することを示す「２：ヘンキャク」の項目表示２３２ｃに矢印表示２３２ｄの上下位置が合い、項目番号表示欄２３２ｅに「２」の番号を表示させた状態で、ＥＮＴＥＲキー１２６が押されて、返却の選択操作が入力されると、制御部１１１は、返却時使用者確認未設定モードとほぼ同様の遅延返却処理を行うことになるが、その際に、上記した返却処理と同様、保持部４１，４２のうち、ＩＤカード３４から読み取った使用者識別情報に対し保持対象物品の返却が許可されたもののみに対して保持対象物品の返却が可能となる。
【０１６３】
よって、保持部４１に挿入された鍵ホルダ５２がこの保持部４１に対応する適正なものであっても、この保持部４１が、カードリーダ３３によって読み出した使用者識別情報に対し保持対象物品の返却が許可されていなければ、この保持部４１に鍵ホルダ５２をロックすることなく、また、この保持部４１の表示ランプ８１を消灯させることもなく、表示部３１に、この保持部４１の識別と返却異常の警告画面を表示させる。この場合、この保持部４１に対し保持対象物品の返却が許可されている使用者識別情報が記憶されたＩＤカード３４がカードリーダ３３に走査されると、この保持部４１に鍵ホルダ５２をロックし、この保持部４１の表示ランプ８１を消灯させる。
【０１６４】
使用者識別情報に対し保持対象物品としての鍵５３の返却が許可された保持部４１にこれに対応する適正な鍵５３が返却され、返却遅延理由が返却時使用者確認未設定モードと同様に選択入力またはテキスト入力されると、制御部１１１は、この返却時の使用者識別情報と、入力された返却遅延理由と、鍵５３が返却されたこの保持部４１の識別情報と、返却遅延がタイムオーバーおよび時刻超過のいずれであるのかを示すエラー名称と、返却遅延発生の日時情報と、返却実行の日時情報とを、取り出し時の使用者識別情報および日時情報と関連付けて返却履歴として記憶部１１２に記憶させる。
【０１６５】
また、使用者識別情報に対し保持対象物品としての収納物９５の返却が許可された保持部４２に収納物９５が返却され、返却遅延理由が返却時使用者確認未設定モードと同様に選択入力またはテキスト入力されると、制御部１１１は、この返却時の使用者識別情報と、入力された返却遅延理由と、収納物９５が返却されたこの保持部４２の識別情報と、返却遅延がタイムオーバーおよび時刻超過のいずれであるのかを示すエラー名称と、返却遅延発生の日時情報と、返却実行の日時情報とを、取り出し時の使用者識別情報および日時情報と関連付けて返却履歴として記憶部１１２に記憶させる。
【０１６６】
ここで、以上においては、返却遅延の保持部４１に鍵５３が返却されたり、返却遅延の保持部４２に収納物９５が返却された場合に、返却遅延理由の入力が可能となるが、返却時使用者確認未設定モードおよび返却時使用者確認設定モードのいずれにおいても、返却遅延の鍵５３あるいは収納物９５の返却と、返却遅延理由の入力とのうちのいずれを先に行うようにしても良い。例えば、返却時使用者確認設定モードにおいてＩＤカード３４がカードリーダ３３に走査されると、返却を待たずに、返却遅延理由の入力が可能となり、返却遅延理由の入力が完了すると、アラーム音を停止させ、その後、返却遅延の鍵５３あるいは収納物９５の返却が行われると、表示ランプ８１を消灯させる。
【０１６７】
なお、制御部１１１は、遅延返却処理を行う際に、報知音発生部１１３にアラーム音を発生させることになるが、このアラーム音は、操作部３２へのアラーム音停止操作で停止可能となっている。すなわち、返却すべき本人が不在等で、アラーム音が鳴り続けている場合に、他人（管理者等）がアラーム音停止操作を入力してアラーム音を停止させることが可能となっている。操作部３２へのアラーム音停止操作は、例えば、ＣＥキー１２８の押圧操作である。この場合、アラーム音停止操作後も、保持部４１，４２のうち返却遅延が発生しているものの表示ランプ８１は点灯しており、この表示ランプ８１の点灯に基づいて、保持部４１には鍵５３が、保持部４２には収納物９５が、それぞれ返却される。
【０１６８】
その際に、制御部１１１は、返却遅延が発生している保持部４１に鍵５３の鍵ホルダ５２が挿入されると、報知音発生部１１３にアラーム音を再び発生させる。この状態で、返却遅延理由が選択入力またはテキスト入力されて確定されると、制御部１１１は、報知音発生部１１３のアラーム音の発生を終了する。同様に、制御部１１１は、返却遅延が発生している保持部４２の操作ボタン８２が押されると、報知音発生部１１３にアラーム音を再び発生させる。その後、保持部４２への収納物９５の返却を確認し、返却遅延理由が選択入力またはテキスト入力されて確定されると、制御部１１１は、報知音発生部１１３のアラーム音の発生を終了する。
【０１６９】
この場合も、操作部３２へのアラーム音停止操作でアラーム音を停止させた後、例えば、ＩＤカード３４がカードリーダ３３に走査されると、返却遅延の鍵５３あるいは収納物９５の返却を待たずに、返却遅延理由の入力が可能となるようにしても良い。その際に、ＩＤカード３４がカードリーダ３３に走査されると、アラーム音を再び発生させるようにし、返却遅延理由の入力が完了すると、アラーム音を停止させ、その後、返却遅延の鍵５３あるいは収納物９５の返却が行われると、表示ランプ８１を消灯させる。
【０１７０】
ここで、返却時使用者確認設定モードでの遅延返却処理時に、既に前カバー１３が開いていると、カードリーダ３３へのＩＤカード３４の走査が行われることなく、返却遅延が生じている保持部４１に鍵ホルダ５２が挿入されることがある。この場合、制御部１１１は、返却遅延の保持部４１に挿入された鍵ホルダ５２がこの保持部４１に対応する適正なものであっても、この保持部４１に鍵ホルダ５２をロックすることはなく、また、この保持部４１の表示ランプ８１を消灯させることもなく、表示部３１に、この保持部４１の識別と返却異常の警告画面を表示させる。その後、この保持部４１に対し保持対象物品の返却が許可されている使用者識別情報が記憶されたＩＤカード３４がカードリーダ３３に走査されると、制御部１１１は、この保持部４１に鍵ホルダ５２をロックし、この保持部４１の表示ランプ８１を消灯させる。
【０１７１】
［出力処理］
待機状態で、適正なＩＤカード３４がカードリーダ３３に走査されて、操作部３２のＭＥＮＵキー１２１が押圧操作されると、制御部１１１は、ＩＤカード３４から読み出した使用者識別情報に対して許可されている操作可能な操作可能項目を読み出し、操作可能項目の中から一つを選択させるための第１表示画面を表示部３１に表示させて、選択入力を待つ。第１表示画面の操作可能項目に、返却履歴を含む保持部４１，４２の処理履歴を出力する処理履歴出力処理が含まれている場合、この処理履歴出力処理が選択入力されると、制御部１１１は、処理履歴データの出力先の指定入力画面を表示部３１に表示させて、出力先の指定入力を待つ。出力先としては、物品管理装置１１のプリンタ部３６および有線または無線ネットワークで接続された外部管理装置、ＵＳＢメモリ等の可搬記録媒体等がある。
【０１７２】
出力先としてプリンタ部３６が選択された場合、処理履歴出力処理によって、制御部１１１は、プリンタ部３６に処理履歴データを出力してプリンタ部３６に用紙への印字を行わせる。印字内容は、例えば、保持部４１，４２の識別情報と、取り出しおよび返却が行われた時刻と、登録済みである場合の保持対象物品を示す特定名称と、返却遅延が発生した場合、その返却遅延のエラー名称（タイムオーバーあるいは時刻超過）と、入力されている場合の返却遅延理由と、使用目的と、使用者識別情報と等である。
【０１７３】
ここで、特定名称は、保持対象物品すなわち保持部４１，４２に対して簡易識別のために顧客により設定されるもので、操作部３２を介する所定の入力操作で、保持部４１，４２のそれぞれに対して予め個別に設定されて記憶部１１２に記憶されている。また、操作部３２を介する所定の入力操作で、予め複数の使用目的が予め設定されて記憶部１１２に記憶されており、必要に応じて、登録されたものから適宜の使用目的が、鍵５３あるいは収納物９５の取り出し時に選択設定される。
【０１７４】
例えば、返却時使用者確認未設定モードでの運用時におけるプリンタ部３６による印字の場合、図１５に示すように、対象の年月日を示す「＜２０ＸＸ年０５月０３日＞」の文字列２３５ａと、処理履歴の精査印字であることを示す「精査」の文字列２３５ｂと、第１の保持部４１で保持する鍵ホルダ５２であることを示す「ホルダ００１」の文字列２３５ｃと、このホルダ００１の鍵ホルダ５２が第１の保持部４１から取り出された時刻およびダブル認証で取り出されたことを示す「Ｗ１６：２４」の文字列２３５ｄと、このホルダ００１の鍵ホルダ５２が第１の保持部４１に返却された時刻を示す「１６：２９」の文字列２３５ｅとが用紙２３５に印字される。また、このホルダ００１の鍵ホルダ５２の特定名称である「メイショウ：ホンキンコ」の文字列２３５ｆと、このホルダ００１の鍵ホルダ５２の使用目的として入力された「モクテキ：ギョウムカイシ」の文字列２３５ｇと、認証の方法および認証した使用者識別情報である「カード：スズキ  ハナコ」の文字列２３５ｈおよび「カード：ヤマダ  タロウ」の文字列２３５ｉとが用紙２３５に印字される。
【０１７５】
また、第２の保持部４１で保持する鍵ホルダ５２であることを示す「ホルダ００２」の文字列２３５ｊと、このホルダ００２の鍵ホルダ５２が第２の保持部４１から取り出された時刻およびシングル認証で取り出されたことを示す「Ｓ１６：２７」の文字列２３５ｋと、このホルダ００２の鍵ホルダ５２が第２の保持部４１に返却された時刻を示す「１６：３９」の文字列２３５ｍとが用紙２３５に印字される。また、このホルダ００２の鍵ホルダ５２の特定名称である「メイショウ：ウケツケ」の文字列２３５ｎと、このホルダ００２の鍵ホルダ５２の返却遅延のエラー名称である「タイムオーバー」の文字列２３５ｏと、このホルダ００２の鍵ホルダ５２の返却遅延理由として入力された「リユウ：サギョウオクレ」の文字列２３５ｐと、認証の方法および認証した使用者識別情報である「カード：ヤマダ  タロウ」の文字列２３５ｑとが用紙２３５に印字される。
【０１７６】
また、第３の保持部４１で保持する鍵ホルダ５２であることを示す「ホルダ００３」の文字列２３５ｒと、このホルダ００３の鍵ホルダ５２が第３の保持部４１から取り出された時刻およびシングル認証で取り出されたことを示す「Ｓ１６：００」の文字列２３５ｓと、このホルダ００３の鍵ホルダ５２が第３の保持部４１に返却された時刻を示す「１６：１５」の文字列２３５ｔとが用紙２３５に印字される。また、このホルダ００３の鍵ホルダ５２の返却遅延のエラー名称である「ジコクチョウカ」の文字列２３５ｕと、このホルダ００３の鍵ホルダ５２の返却遅延理由として入力された「リユウ：ソウチエラー」の文字列２３５ｖと、認証の方法および認証した使用者識別情報である「カード：ヤマダ  タロウ」の文字列２３５ｗとが用紙２３５に印字される。
【０１７７】
なお、出力処理においては、返却遅延に関する情報として、エラー名称および返却遅延理由に加えて、返却遅延発生の時刻情報を出力するようにしても良い。例えば、図１５に示す印字内容の「タイムオーバー」の文字列２３５ｏにかえて、「タイムオーバー  ハッセイ  １６：２８」の文字列を印字する等である。
【０１７８】
また、各鍵ホルダ５２および各収納物９５毎の履歴、言い換えれば各保持部４１，４２毎の履歴の纏め印字および集計印字、返却遅延理由毎の纏め印字および集計印字、取り出しを行った使用者識別情報別の纏め印字および集計印字も可能であり、それぞれについての返却遅延理由の多寡および傾向等を見ることができる。なお、上記に示した表示部３１に表示される表示画面およびプリンタ部３６による印字内容は一例であり、文言および態様はこれに限定されないことは言うまでもない。
【０１７９】
物品管理装置としての鍵管理装置には、ホルダを取り出している時間が予め設定されたタイマ設定時間あるいは設定時刻を超過すると、タイムオーバーあるいは時刻超過等の返却遅延が発生したことをブザー音などで警告する監視機能を有するものがあり、これらの返却遅延が発生した際にタイムオーバーあるいは時刻超過のエラー内容を記憶するものがある。このため、返却遅延の履歴確認を行えばエラー内容を把握できるようになっている。しかしながら、タイマ設定時間あるいは設定時刻までにホルダを返却できなかった理由については不明である。このため、管理者による対象者への遅延理由の聞き取り確認が必要となってくる。
【０１８０】
これに対し、本実施形態の物品管理装置１１は、制御部１１１が、物品である鍵５３および収納物９５の返却に遅延があったと判定した場合に、操作部３２に返却の返却遅延理由を入力可能であるため、入力された返却の返却遅延理由を記憶部１１２に記憶させることで、物品の返却に関する情報にこの返却遅延理由を含めることができ、物品の返却に関する情報を詳細に管理可能となる。言い換えれば、物品の返却管理を厳格に行うことが可能となる。これにより、記憶部１１２に記憶された返却の返却遅延理由を読み出せば、この返却遅延理由をわざわざ当人に問い合せなくても確認できるようになり、管理者の負担が軽減できる。また、物品の返却の際に返却遅延理由を入力させるようにすることで、心理的に返却遅れを抑制できることになる。また、返却の際に返却遅延理由を入力させるようにすることで、返却後に時間が経ってしまって返却遅延理由を忘れてしまったり、あいまいな返却遅延理由を報告するようなことも抑制でき、返却遅延理由を正確に把握できる。
【０１８１】
また、操作部３２への設定操作で制御部１１１が返却遅延理由の入力の要否を設定することから、例えば、重要な物品のみに返却遅延理由の入力を要するように設定できることになり、利便性が向上する。
【０１８２】
また、記憶部１１２には、返却遅延理由が予め返却遅延理由候補として複数登録されており、操作部３２によって複数の返却遅延理由候補の中から選択入力可能であるため、返却遅延理由を入力する際に、登録された複数の返却遅延理由候補の中から選択入力すれば済むことになり、返却遅延理由の入力作業が容易となり、返却遅延理由入力の手間が削減できる。
【０１８３】
また、入力され記憶部１１２に記憶された返却遅延理由を制御部１１１が出力可能であるため、記憶部１１２に記憶して後で読み出して確認したり、プリンタ部３６に出力して用紙に印字したり、持ち運び可能な媒体に出力して記憶させたり、他の装置に出力して、この装置で記憶したり、表示したり、印字したりすることが可能となる。
【０１８４】
以上の実施形態を以下の変形例のように変更することができる。
【０１８５】
＜変形例１＞
物品管理装置１１は、鍵本体５１に取り付けられた鍵ホルダ５２を保持する保持部４１と、ＩＤカードや印鑑、書類等の、鍵本体５１に取り付けた状態での保持部４１への保持が不適な収納物９５を保持する引き出し式の保持部４２とを有するものであるが、鍵本体５１に取り付けられた鍵ホルダ５２を保持する保持部４１のみが設けられていても良く、引き出し式の保持部４２のみが設けられていても良い。また、物品を取り出し不可に保持し、保持している物品を取り出しおよび返却可能な保持部であれば、他の保持部を備えた物品管理装置であっても良い。例えば、ヒンジ開閉式またはスライド開閉式の扉を有する収納庫で構成しても良い。
【０１８６】
＜変形例２＞
タイマ監視設定処理において、タイマ設定時間に加えて、これよりも短い予告タイマ時間を設定して、タイマ監視処理の開始後、タイマ設定時間が超過する前に、予告タイマ時間が超過した時点で、報知音発生部１１３に予告アラーム音を発生させるようにしても良い。予告タイマ時間は、タイマ設定時間が設定されると、制御部１１１が予め設定された時間をタイマ設定時間から減算して自動的に設定するようにしても良い。タイマ監視処理の開始後、予告タイマ時間が超過した場合と、その後、タイマ設定時間が超過した場合とで、アラーム音を異ならせる。例えば、タイマ監視処理の開始後、予告タイマ時間が超過した時点での予告アラーム音は断続音とし、タイマ設定時間が超過したときの本アラーム音は連続音とする等である。また、予告アラーム音は、短時間の発生として、本アラーム音の発生の所定時間前に停止させるようにしても良い。なお、この場合、タイマ監視処理の開始後、予告タイマ時間が超過しても、タイマ設定時間が超過しなければ、タイムオーバーの返却遅延にはならないため、返却遅延理由の入力も不要となる。
【０１８７】
例えば、保持部４１について、タイマ設定時間として３０分が操作部３２に入力されると、制御部１１１がタイマ設定時間を３０分に設定し、予告タイマ時間として２７分が操作部３２に入力されると制御部１１１が予告タイマ時間を２７分に設定する。すると、保持部４１から鍵ホルダ５２が取り出されて開始されるタイマ監視処理の開始後、２７分経っても鍵ホルダ５２が戻されていなかったら予告アラーム音を発生させることになり、その後３分経っても鍵ホルダ５２が戻されていなかったら本アラーム音を発生させることになる。この場合、予告タイマ時間としてタイマ設定時間からの遡り時間を入力させることで設定するようにしても良い。すなわち、タイマ設定時間として３０分が操作部３２に入力されると、制御部１１１がタイマ設定時間を３０分に設定し、予告タイマ時間の遡り分として３分が操作部３２に入力されると、制御部１１１が予告タイマ時間をタイマ設定時間の３分前の２７分に設定する。
【０１８８】
この場合も、タイマ設定時間の超過で発生する本アラーム音は、上記と同様に、操作部３２へのＣＥキー１２８の押圧操作等のアラーム音停止操作で停止可能とし、予告タイマ時間の超過で発生する予告アラーム音についても、同様に、操作部３２へのＣＥキー１２８の押圧操作等のアラーム音停止操作で停止可能とする。本アラーム音が鳴っていない状態でもタイマ設定時間の超過後であれば、鍵ホルダ５２を挿入したら本アラーム音が鳴り、返却遅延理由の選択入力またはテキスト入力を行わないと返却処理が完了しないものとする。
【０１８９】
時刻監視設定処理についても、同様である。すなわち、設定時刻に加えて、これよりも短い予告時刻を設定して、設定時刻となる前に、予告時刻になった時点で、予告アラーム音を発生させるようにしても良い。予告時刻は、設定時刻が設定されると、制御部１１１が予め設定された遡り時間を設定時刻から減算して自動的に設定するようにしても良い。この場合も、予告時刻になった場合と、設定時刻になった場合とでアラーム音は異ならせるのが良い。なお、予告時刻になっても、設定時刻にならなければ、時刻超過の返却遅延にはならないため、返却遅延理由の入力も不要となる。
【０１９０】
変形例２では、物品である鍵５３および収納物９５の返却が返却遅延の状態に近づくと第１の報知としての予告アラーム音の発生を行うとともに、鍵５３および収納物９５の返却が返却遅延の状態になると、第１の報知とは異なる第２の報知としての本アラーム音の発生を行う。これにより、返却遅延の状態になることを抑制できる。また、鍵５３の鍵ホルダ５２と装置本体１２とを通信可能に構成すると共に、鍵ホルダ５２に報知音発生部やＬＥＤランプや液晶パネル等の表示部を設け、装置本体１２の制御部１１１の制御により、鍵ホルダ５２に設けた報知音発生部により予告アラーム音や本アラーム音を発生させたり、表示部により予告時刻や設定時刻になった旨を報知するようにしてもよい。
【０１９１】
＜変形例３＞
記憶部１１２等をネットワークで接続された外部管理装置に設けて、物品管理装置１１と外部管理装置とを含む物品管理システムとして構築することも可能である。この場合、出力処理での出力先としては、この物品管理装置１１のプリンタ部３６と、この物品管理装置１１とネットワークで接続された外部の外部管理装置とが設定されることになる。そして、出力処理において、出力先としてプリンタ部３６が選択されると、制御部１１１は、プリンタ部３６による精査印字を行うことになり、出力先として外部管理装置が選択されると、この外部管理装置に出力し記憶させる。この外部管理装置では履歴帳票に印字可能となる。
【０１９２】
また、上記物品管理システムとした場合、物品管理装置１１は、タイマ設定時間の超過、予告タイマ時間の超過、設定時刻超過、予告時刻超過等を、発生時点で、外部管理装置に出力することができる。この場合、外部管理装置は、タイマ設定時間の超過、予告タイマ時間の超過、設定時刻超過、予告時刻超過等を、発生時点で、電子メール等で取出者の端末装置に通知することが可能になる。また、タイマ設定時間の超過および設定時刻の超過を通知した場合に、通知対象者の端末装置のブラウザ等から返却遅延理由の入力を受け付けて、外部管理装置から物品管理装置１１へ入力するようにしても良い。この場合、物品管理装置１１は、外部から返却遅延理由が入力された場合にはアラーム音を停止させるようにする。このようにすれば、鍵ホルダ５２あるいは収納物９５の返却の際には、アラーム鳴動は停止しており、また、返却遅延理由の選択入力あるいはテキスト入力を行うことなく、通常の返却作業を行うだけで返却処理完了となる。
【０１９３】
＜変形例４＞
収納物９５に、これを他の収納物９５等と識別するための個別の識別番号が記憶されたＩＣタグを設け、複数の保持部４２のそれぞれに、引出部材９１に収納された収納物９５のＩＣタグと通信可能であって通信状態から非通信状態への切り替えで収納物９５の取り出しを検出し非通信状態から通信状態への切り替えで収納物９５の返却を検出する物品検出手段としてのＩＣタグリーダを設けても良い。このように構成することで、保持部４２についても、保持部４１と同様に一対一で対応する収納物９５の取り出しおよび返却を正確に管理することができ、より適正な管理ができることになる。
【符号の説明】
【０１９４】
１１  物品管理装置
３２  操作部（入力部，設定部）
４１  保持部（保管部）
４２  収納部（保管部）
５３  鍵（物品）
９５  収納物（物品）
１１１  制御部（判定部，設定部，出力部）
１１２  記憶部
１１３  報知音発生部（報知部）
【図１】
2019044403.tif 000003
【図２】
2019044403.tif 000004
【図３】
2019044403.tif 000005
【図４】
2019044403.tif 000006
【図５】
2019044403.tif 000007
【図６】
2019044403.tif 000008
【図７】
2019044403.tif 000009
【図８】
2019044403.tif 000010
【図９】
2019044403.tif 000011
【図１０】
2019044403.tif 000012
【図１１】
2019044403.tif 000013
【図１２】
2019044403.tif 000014
【図１３】
2019044403.tif 000015
【図１４】
2019044403.tif 000016
【図１５】
2019044403.tif 000017